(57)【特許請求の範囲】
【請求項１】
高速パケットアクセスシステムにおいてマルチユーザマルチ入力マルチ出力をシグナリングする方法であって、
マルチユーザマルチ入力マルチ出力パラメータを決定することと、
前記マルチユーザマルチ入力マルチ出力パラメータを含むメッセージを生成することと、
前記メッセージを無線装置に送信することと
を含んでいる方法であって、
前記方法が無線ネットワークコントローラ（１２７５）により実行され、
前記無線装置が前記メッセージをユーザ機器（１２０４）に転送するノードＢ（１２０２）であり、
前記マルチユーザマルチ入力マルチ出力パラメータは前記ユーザ機器（１２０４）がマルチユーザマルチ入力マルチ出力機能をサポートするために必要なユーザ機器のマルチユーザマルチ入力マルチ出力の設定（１２８３）を含んでいて、
前記設定（１２８３）は、高速共用制御チャネルフィールドの符号化（１５８８）が変更されなければならないことを示し、
前記メッセージが無線リソース制御メッセージ（１２８２）である、方法。
【請求項２】
コンピュータで実行されると請求項１の前記諸工程を遂行するように適合されているコンピュータプログラムコード手段を含むコンピュータプログラム。
【請求項３】
請求項１の前記方法を実行する一台以上のプロセッサ（２１０３、２２０３、２３０３）により実行可能な一組の命令を記憶するコンピュータ可読記憶媒体。
【請求項４】
高速パケットアクセスシステムにおいてマルチユーザマルチ入力マルチ出力をシグナリングするように構成されている無線装置であって、
マルチユーザマルチ入力マルチ出力パラメータを決定する手段と、
前記マルチユーザマルチ入力マルチ出力パラメータを含むメッセージを生成する手段と、
前記メッセージを第二の無線装置に送信する手段と
を含んでいる無線装置であって、
前記無線装置が無線ネットワークコントローラ（１２７５）であり、
前記第二の無線装置がユーザ機器（１２０４）に前記メッセージを転送するノードＢ（１２０２）であり、
前記マルチユーザマルチ入力マルチ出力パラメータは前記ユーザ機器（１２０４）がマルチユーザマルチ入力マルチ出力機能をサポートするために必要なユーザ機器のマルチユーザマルチ入力マルチ出力の設定（１２８３）を含んでいて、
前記設定（１２８３）は、高速共用制御チャネルフィールドの符号化（１５８８）が変更されなければならないことを示し、
前記メッセージが無線リソース制御メッセージ（１２８２）である、無線装置。
【発明の詳細な説明】
【技術分野】
【０００１】
この出願は、２００９年１１月１７日に出願がなされている「ノードＢからのマルチユーザＭＩＭＯ伝送のシグナリング（SIGNALING OF MU-MIMO TRANSMISSIONS FROM NODE-B）」と言う名称の米国仮特許出願シリアル番号６１／２６２，１１５の利益を主張する。この米国仮特許出願は、この言及により全体的にここに明確に含まれる。
【０００２】
この開示は、無線通信システムに概ね関係している。この開示は、高速パケットアクセス（ＨＳＰＡ：high-speed packet access）システムにおけるマルチユーザマルチ入力マルチ出力伝送のシグナリングをするためのシステムおよび方法に特に関係している。
【背景技術】
【０００３】
無線通信システムは、音声や映像やデータなどの様々な種類の通信内容を供給するために広く展開されている。無線通信システムは、一台以上の基地局を用いて複数台の端末の同時通信をサポートする多元接続システム（multiple-access systems）であるかも知れない。
【０００４】
全ての通信システムが対処しなければならない問題はフェージングその他の干渉である。受信した信号の復号化に問題が生じる虞がある。このような問題に対処する一法としてビームフォーミングの使用がある。ビームフォーミングでは、個々の送信アンテナを用いて一本の空間ストリームを送信する代わりに、受信機の応答を最適化するように選択された複数本の空間ストリームの一次結合（linear combination）を個々の送信アンテナが送信する。
【０００５】
スマートアンテナは、所定の位相ずれおよび相対利得で送信される信号を受信するアンテナ素子のアレイである。このようなアレイの正味の効果は所定の方向に（送信や受信の）ビームを向けることである。アレイの素子を励起する信号の位相と利得との関係を制御することによってビームを操舵することができる。したがって、従来のアンテナが通常行っているように所定の有効範囲（例えば、１２０°）に在中している全ての移動ユニットにエネルギを放射することとは対照的にスマートアンテナは一台一台の移動ユニット（すなわち複数台の移動ユニット）にビームを向ける。スマートアンテナは、個々の移動ユニットに向けられるビームの幅を狭めて移動ユニット間の干渉を減少させることによりシステムの能力を増大させる。このように干渉が減少することにより信号対干渉および信号対雑音のそれぞれの比が増大するのでパフォーマンスや能力が改善される。電力が制御されているシステムでは、個々の移動ユニットに狭いビーム信号を向けることは所定水準のパフォーマンスを提供するために必要な送信電力の減少になる。
【０００６】
無線通信システムは、システム全体の利得を提供するためにビームフォーミングを使用することができる。ビームフォーミングでは送信機の複数本のアンテナが受信機の複数本のアンテナに向けて送信方向を操舵することができる。ビームフォーミングは信号対雑音比（ＳＮＲ：signal-to-noise ratio）を減少させることができる。またビームフォーミングは、隣接するセルに在圏する端末が被る干渉の量を減少させることもできる。ビームフォーミング技術の改善により得られる利益は計り知れない。
【発明の概要】
【０００７】
高速パケットアクセスシステムにおいてマルチユーザマルチ入力マルチ出力をシグナリングする方法が記載されている。マルチユーザマルチ入力マルチ出力パラメータが決定される。マルチユーザマルチ入力マルチ出力パラメータを含むメッセージが生成される。メッセージが無線装置に送信される。
【０００８】
この方法は、無線ネットワークコントローラにより実行されることがある。無線装置は、メッセージをユーザ機器に転送するノードＢで構わない。マルチユーザマルチ入力マルチ出力パラメータは、マルチユーザマルチ入力マルチ出力機能をサポートするためにユーザ機器に必要なユーザ機器のマルチユーザマルチ入力マルチ出力の設定を含むことができる。メッセージは無線リソース制御メッセージで構わない。
【０００９】
マルチユーザマルチ入力マルチ出力パラメータはチャネル品質インジケータ報告設定も含むことができる。マルチユーザマルチ入力マルチ出力は高速共用制御チャネルフィールド再解釈をさらに含むことができる。この方法は、ユーザ機器により実行されることがある。この場合には無線装置は、無線ネットワークコントローラにメッセージを送るノードＢで構わない。
【００１０】
マルチユーザマルチ入力マルチ出力パラメータは、ユーザ機器のマルチユーザマルチ入力マルチ出力作動機能を含むことができる。メッセージは、無線リソース制御メッセージで構わない。マルチユーザマルチ入力マルチ出力パラメータはマルチユーザマルチ入力マルチ出力の可能なユーザ機器のカテゴリを含むことができる。
【００１１】
この方法は、ノードＢにより実行されることがある。無線装置は、無線ネットワークコントローラで構わない。マルチユーザマルチ入力マルチ出力パラメータは、ノードＢのマルチユーザマルチ入力マルチ出力スケジューリング機能を含むことができる。
【００１２】
マルチユーザマルチ入力マルチ出力パラメータは、ノードＢによりサービスが提供されているユーザ機器のマルチユーザマルチ入力マルチ出力の機能および設定を含むことができる。マルチユーザマルチ入力マルチ出力パラメータは、新しい高速共用制御チャネルフィールドの符号化も含むことができる。
【００１３】
無線装置はユーザ機器であっても構わない。マルチユーザマルチ入力マルチ出力パラメータは、送信時間間隔毎に送信されるマルチユーザマルチ入力マルチ出力スケジューリング情報を含むことができる。マルチユーザマルチ入力マルチ出力スケジューリング情報は、共通高速ダウンリンク共用チャネル−無線ネットワーク一時識別子に基づく高速共用制御チャネルによるか、高速共用制御チャネルのチャネル化コードセットの所定ビットによるか、二次伝送ブロックサイズが１１１１１１に設定されていて対応する冗長版が０に設定されているタイプ３デュアルストリーム高速共用制御チャネルによるかのいずれかで送信される。
【００１４】
ユーザ機器は送信アンテナアレイケーブルでも構わない。マルチユーザマルチ入力マルチ出力スケジューリング情報は、高速共用制御チャネル内の幾つかの伝送ブロックと変調方式との組み合わせにより送信されることがある。マルチユーザマルチ入力マルチ出力スケジューリング情報は、高速共用制御チャネル内のハイブリッド自動再送要求処理の識別によっても送信されることがある。
【００１５】
マルチユーザマルチ入力マルチ出力パラメータは、マルチユーザマルチ入力マルチ出力機能をユーザ機器に起動させたり停止させたりする命令を含むことができる。メッセージは、高速共用制御チャネルの命令で構わない。高速共用制御チャネルの命令は、ユーザ機器に変更を報告する、すなわち、高速共用制御チャネルフィールドの解釈の変更をユーザ機器に報告するチャネル品質インジケータを含むことができる。
【００１６】
高速パケットアクセスシステムにおいてマルチユーザマルチ入力マルチ出力のシグナリングをするように構成されている無線装置も記載されている。無線装置には、プロセッサ、このプロセッサと電子的に通信をしているメモリ、このメモリに格納されている命令が含まれている。命令は、マルチユーザマルチ入力マルチ出力パラメータを決定するためにプロセッサにより実行可能である。命令は、マルチユーザマルチ入力マルチ出力パラメータを含むメッセージを生成するためにもプロセッサにより実行可能である。命令は、第二の無線装置にメッセージを送信するためにもプロセッサにより実行可能である。
【００１７】
高速パケットアクセスシステムにおいてマルチユーザマルチ入力マルチ出力をシグナリングするように構成されている無線装置が記載されている。無線装置は、マルチユーザマルチ入力マルチ出力パラメータを決定する手段を有している。無線装置は、マルチユーザマルチ入力マルチ出力パラメータを含むメッセージを生成する手段も有している。無線装置は、メッセージを無線装置に送信する手段をさらに有している。
【００１８】
高速パケットアクセスシステムにおいてマルチユーザマルチ入力マルチ出力をシグナリングするコンピュータプログラム製品も記載されている。コンピュータプログラム製品には、命令を収録している一時的でないコンピュータ可読媒体が含まれている。命令には、マルチユーザマルチ入力マルチ出力パラメータを第一の無線装置に決定させるコードが含まれている。命令には、マルチユーザマルチ入力マルチ出力パラメータが含まれているメッセージを第一の無線装置に生成させるコードも含まれている。命令には、第二の無線装置にメッセージを送信することを第一の無線装置に行わせるコードがさらに含まれている。
【図面の簡単な説明】
【００１９】
【図１】図１は、無線装置を複数台有している無線通信システムを示す図である。
【図２】図２は、無線装置を複数台有している別の無線通信システムを示す図である。
【図３】図３は、シングルユーザマルチ入力マルチ出力（ＳＵ−ＭＩＭＯ：single-user multiple-input and multiple output）伝送およびマルチユーザマルチ入力マルチ出力（ＭＵ−ＭＩＭＯ：multiple-user multiple-input and multiple output）伝送の両者においてストリーム間干渉（ＩＳＩ：inter-stream interference）の原因となるデータレートを調整する方法の流れ図である。
【図４】図４は、ユーザ機器（ＵＥｓ）を一対にして相互に照合した表である。
【図５】図５は、送信時間間隔（ＴＴＩｓ：transmission time intervals）を時系列に示すブロック図である。
【図６】図６は、ストリーム間干渉（ＩＳＩ）を考慮してチャネル品質インジケータ（ＣＱＩ：channel quality indicator）フィードバックを送信する方法の流れ図である。
【図７】図７は、ユーザ機器（ＵＥｓ）のチャネル品質インジケータ（ＣＱＩ）フィードバックサイクルを示すタイミング図である。
【図８】図８は、このシステムや方法に用いられる基地局のブロック図である。
【図９】図９は、このシステムや方法に用いられる無線通信装置のブロック図である。
【図１０】図１０は、マルチ入力マルチ出力（ＭＩＭＯ）システムの送信機および受信機のブロック図である。
【図１１】図１１は、ユニバーサルモバイル通信システム（ＵＭＴＳ：Universal Mobile Telecommunications System）の規格にしたがって作動している無線ネットワークの例を示すブロック図である。
【図１２】図１２は、ユーザ機器（ＵＥ）とノードＢと無線ネットワークコントローラ（ＲＮＣ：radio network controller）との間の通信の例を示すブロック図である。
【図１３】図１３は、ユーザ機器（ＵＥ’s）のマルチユーザマルチ入力マルチ出力（ＭＵ−ＭＩＭＯ）作動機能をユーザ機器（ＵＥ）から無線ネットワークコントローラ（ＲＮＣ）にシグナリングする方法の流れ図である。
【図１４】図１４は、マルチユーザマルチ入力マルチ出力（ＭＵ−ＭＩＭＯ）機能をサポートするためにユーザ機器（ＵＥ）マルチユーザマルチ入力マルチ出力（ＭＵ−ＭＩＭＯ）の設定をネットワークからユーザ機器（ＵＥ）にシグナリングする方法の流れ図である。
【図１５】図１５は、無線通信ネットワークにおけるノードＢと無線ネットワークコントローラ（ＲＮＣ）との通信の例を示すブロック図である。
【図１６】図１６は、マルチユーザマルチ入力マルチ出力（ＭＵ−ＭＩＭＯ）に関するユーザ機器の機能および設定を無線ネットワークコントローラ（ＲＮＣ）からノードＢにシグナリングする方法の流れ図である。
【図１７】図１７は、ノードＢのマルチユーザマルチ入力マルチ出力（ＭＵ−ＭＩＭＯ）スケジューリング機能を無線ネットワークコントローラ（ＲＮＣ）にシグナリングする方法の流れ図である。
【図１８】図１８は、無線通信ネットワークにおいてノードＢからユーザ機器（ＵＥ）に高速共用制御チャネル（ＨＳ−ＳＣＣＨ：high-speed shared control channel）命令を伝送する例を示すブロック図である。
【図１９】図１９は、高速共用制御チャネル（ＨＳ−ＳＣＣＨ：high-speed shared control channel）命令をユーザ機器（ＵＥ）に送信する流れ図である。
【図２０】図２０は、無線通信ネットワークにおいて送信時間間隔毎にノードＢからユーザ機器（ＵＥ）に送信されるマルチユーザマルチ入力マルチ出力（ＭＵ−ＭＩＭＯ）スケジューリングの例を示すブロック図である。
【図２１】図２１は、基地局に含まれている可能性のあるコンポーネントを示す図である。
【図２２】図２２は、無線通信システムに含まれている可能性のあるコンポーネントを示す図である。
【図２３】図２３は、無線ネットワークコントローラ（ＲＮＣ）に含まれている可能性のあるコンポーネントを示す図である。
【詳細な説明】
【００２０】
第３世代パートナーシッププロジェクト（３ＧＰＰ：3rd Generation Partnership Project）は、世界中に適用される第３世代携帯電話の仕様を策定することを目的にした電気通信協会の諸グループ間の共同作業である。３ＧＰＰ長期的高度化（ＬＴＥ：Long Term Evolution）は、ユニバーサルモバイル通信システム（ＵＭＴＳ：Universal Mobile Telecommunications System）携帯電話規格の改善を目指す３ＧＰＰプロジェクトである。３ＧＰＰは、移動ネットワーク、移動システム、移動装置に関する次世代の仕様を定義している。３ＧＰＰ  ＬＴＥでは、移動局や移動装置は「ユーザ機器」（ＵＥ：user equipment）と呼ばれている。
【００２１】
図１には、無線装置を複数台伴う無線通信システム１００が示されている。無線通信システム１００は、音声、データ、その他などの様々な種類の通信内容を供給するために広範囲に亘って展開されている。無線装置は、基地局１０２でも良いし、無線通信装置１０４でも良い。
【００２２】
基地局１０２は、一台以上の無線通信装置１０４と通信をする局である。基地局１０２は、アクセスポイント、ブロードキャスト送信機、ノードＢ、進化したノードＢ（ｅＮＢ）、その他の機能の幾つかまたは全てを有していることもあり、アクセスポイント、ブロードキャスト送信機、ノードＢ、進化したノードＢ（ｅＮＢ）、その他と呼ばれることもある。ここでは用語「基地局」を使用する。どの基地局１０２も特定の地域に通信範囲を提供する。基地局１０２は、一台以上の無線通信装置１０４に通信範囲を提供する。用語「セル」（cell）は、この用語が用いられている文脈に応じて、基地局１０２を指すこともあれば、基地局の有効範囲を指すこともあれば、両者を指すこともある。
【００２３】
無線システムの通信（例えば、多元接続システム（multiple-access system））は無線リンクによる伝送を通じて達成される。このような通信リンクは、シングル入力シングル出力（ＳＩＳＯ：single-input and single-output）、マルチ入力シングル出力（ＭＩＳＯ：multiple input single output）、マルチ入力マルチ出力（ＭＩＭＯ：multiple-input multiple-output）のいずれのシステムでも確立することができる。ＭＩＭＯシステムは、送信アンテナを複数（ＮＴ）本有している送信機と受信アンテナを複数（ＮＲ）本有している受信機とをデータ通信のために備えている。ＳＩＳＯおよびＭＩＳＯの両システムはＭＩＭＯシステムの特定の例である。ＭＩＭＯシステムは、複数本の送受信アンテナにより生成される付加的な次元数を使用すれば改善されたパフォーマンス（例えば、高いスループット、大きな能力、改善された信頼性）を提供することができる。
【００２４】
無線通信システム１００はＭＩＭＯを利用することができる。ＭＩＭＯシステムは、時分割複信（ＴＤＤ：time division duplex）および周波数分割複信（ＦＤＤ：frequency division duplex）の両システムをサポートすることができる。ＴＤＤシステムでは、アップリンク１０８ａ−ｂおよびダウンリンク１０６ａ−ｂの送信が同じ周波数領域であるので相反定理によりアップリンク１０８チャネルからダウンリンク１０６チャネルの推定が可能である。これにより送信側無線装置は、受信した通信から送信ビームフォーミング利得を抽出することができる。
【００２５】
無線通信システム１００は、利用可能なシステムリソース（例えば、帯域幅や送信電力）を共有することによって複数台の無線通信装置１０４との通信をサポートすることのできる多元接続システムであるかも知れない。そのような多元接続システムの例には、符号分割多元接続（ＣＤＭＡ：code division multiple access）システム、広帯域符号分割多元接続（Ｗ−ＣＤＭＡ：wideband code division multiple access）システム、時分割多元接続（ＴＤＭＡ：time division multiple access）システム、周波数分割多元接続（ＦＤＭＡ：frequency division multiple access）システム、直交周波数分割多元接続（ＯＦＤＭＡ：orthogonal frequency division multiple access）システム、単一搬送波周波数分割多元接続（ＳＣ−ＦＤＭＡ：single-carrier frequency division multiple access）システム、３ＧＰＰ長期的高度化（ＬＴＥ：Long Term Evolution）システム、空間分割多元接続（ＳＤＭＡ：Spatial division multiple access）システムが含まれる。
【００２６】
用語「ネットワーク」および「システム」は往々にして区別なく用いられている。ＣＤＭＡネットワークでは、ユニバーサル地上無線アクセス（ＵＴＲＡ：Universal Terrestrial Radio Access）、ＣＤＭＡ２０００、その他のような無線技術を実施することができる。ＵＴＲＡには、広帯域符号分割多元接続（Ｗ−ＣＤＭＡ：Wideband-CDMA）やローチップレート（ＬＣＲ：Low Chip Rate）が含まれる。ＣＤＭＡ２０００には、ＩＳ−２０００、ＩＳ−９５、ＩＳ−８５６の諸規格が網羅されている。ＴＤＭＡネットワークでは、移動体通信のためのグローバルシステム（ＧＳＭ（登録商標）：Global System for Mobile Communications）のような無線技術を実施することができる。ＯＦＤＭＡネットワークでは、進化したＵＴＲＡ（Ｅ−ＵＴＲＡ：Evolved UTRA）、ＩＥＥＥ８０２．１１、ＩＥＥＥ８０２．１６、ＩＥＥＥ８０２．２０、フラッシュＯＦＤＭ（登録商標）（Flash-OFDM（登録商標））、その他のような無線技術を実施することができる。ＵＴＲＡ、Ｅ−ＵＴＲＡ、ＧＳＭは、ユニバーサルモバイル通信システム（ＵＭＴＳ：Universal Mobile Telecommunication system）の一部である。長期的高度化（ＬＴＥ）は、Ｅ−ＵＴＲＡを用いたＵＭＴＳの公開である。ＵＴＲＡ、Ｅ−ＵＴＲＡ、ＧＳＭ、ＵＭＴＳ、ＬＴＥは、「第３世代パートナーシッププロジェクト」（３ＧＰＰ：3rd Generation Partnership Project）と言う名称の組織による文書に記載されている。ＣＤＭＡ２０００は、「第３世代パートナーシッププロジェクト２」（３ＧＰＰ２：3rd Generation Partnership Project 2）と言う名称の組織による文書に記載されている。無線に関するこれらの様々な技術や規格はこの技術分野では公知である。明瞭にするために、ＬＴＥに関する技術的な観点を以下に幾つか述べる。以下の記述にはＬＴＥ関連の用語が多用されている。
【００２７】
基地局１０２は、一台以上の無線通信装置１０４と通信をすることができる。例えば、基地局１０２は、第一の無線通信装置１０４ａおよび第二の無線通信装置１０４ｂと通信をすることができる。無線通信装置１０４には、端末、アクセス端末、ユーザ機器（ＵＥ）、加入者ユニット、ステーション、その他の機能の幾つかまたは全てが含まれることもあり、端末、アクセス端末、ユーザ機器（ＵＥ）、加入者ユニット、ステーション、その他と無線通信装置１０４が呼ばれることもある。無線通信装置１０４は、小型携帯移動電話機、パーソナルデジタルアシスタント（ＰＤＡ：personal digital assistant）、無線装置、無線モデム、手持ち式演算装置、ラップトップコンピュータ、その他のいずれでも構わない。
【００２８】
無線通信装置１０４は、任意の与えられた瞬間にダウンリンク１０６およびアップリンク１０８の両方または一方により一台以上の基地局１０２と通信をすることができることもあれば、どの基地局とも通信をすることができないこともある。ダウンリンク１０６（または下りリンク）は基地局１０２から無線通信装置１０４への通信リンクを指している。アップリンク１０８（または上りリンク）は無線通信装置１０４から基地局１０２への通信リンクを指している。
【００２９】
３ＧＰＰリリース５以降は、高速下りパケットアクセス（ＨＳＤＰＡ：High-Speed Downlink Packet Access）をサポートしている。３ＧＰＰリリース６以降は、高速上りパケットアクセス（ＨＳＵＰＡ：High-Speed Uplink Packet Access）をサポートしている。ＨＳＤＰＡおよびＨＳＵＰＡは、ダウンリンクおよびアップリンクでの高速パケットデータ通信を可能にするチャネルと手続きのセットである。したがってＨＳＤＰＡおよびＨＳＵＰＡは、高速パケットアクセス（ＨＳＰＡ：High-Speed Packet Access）と呼ばれる移動電話プロトコルファミリの一部である。リリース７ＨＳＰＡ＋は、三種類の拡張でデータレートを改善している。第一に、２×２マルチ入力マルチ出力（ＭＩＭＯ）のサポートがダウンリンク１０６に導入されている。ＭＩＭＯにより、ダウンリンク１０６でサポートされるピークデータレートが２８メガビット毎秒（Ｍｂｐｓ）である。第二に、ダウンリンク１０６に高次の変調が導入されている。６４直交振幅変調（ＱＡＭ）をダウンリンク１０６に使用して２１Ｍｂｐｓのピークデータレートを実現している。第三に、アップリンク１０８に高次の変調が導入されている。アップリンク１０８に１６ＱＡＭを用いて１１Ｍｂｐｓのピークデータレートを達成している。
【００３０】
ＨＳＵＰＡでは、幾つかの無線通信装置１０４が（許可を用いて）一定の電力水準で同時に送信することが基地局１０２により許される。この許可は、短期ベース（すなわち、数十ミリ秒（ｍｓ）のオーダー）でリソースを割り当てる高速スケジューリングアルゴリズムを用いて無線通信装置１０４に割り当てられる。ＨＳＵＰＡの高速スケジューリングはパケットデータのバーストし易い性質に良く適している。無線通信装置１０４は、活発に作動している時は利用可能なリソースの大きな割合を占めているかも知れないが、不活発の時には帯域幅を殆ど使用していないか全く使用していない。
【００３１】
３ＧＰＰリリース５のＨＳＤＰＡでは基地局１０２は、高速下り共用チャネル（ＨＳ−ＤＳＣＨ：High-Speed Downlink Shared Channel）でダウンリンクペイロードデータを無線通信システムに送信することができる。基地局１０２は、高速共用制御チャネル（ＨＳ−ＳＣＣＨ：High-Speed Shared Control Channel）でダウンリンクデータに関連付けられている制御情報も送信することができる。２５６個の直交可変拡散ファクタ（ＯＶＳＦ：Orthogonal Variable Spreading Factor）コード（またはウォルシュコード（Walsh codes））がデータの伝送に用いられている。ＨＳＤＰＡシステムではこれらのコードは、セルラ方式の電話技術（音声通話）で典型的に使用されるリリース１９９９（レガシーシステム）コードとデータサービスに用いられるＨＳＤＰＡコードとに分けられている。ＨＳＤＰＡ使用可能無線通信装置１０４に送信される専用制御情報はコードスペース内のどのコードを用いてダウンリンクペイロードデータを無線通信装置１０４に送信すれば良いのかおよびダウンリンクペイロードデータの伝送に用いる変調を送信時間間隔（ＴＴＩ）毎に無線通信装置１０４に指示することができる。
【００３２】
ＨＳＤＰＡ操作では、無線通信装置１０４ａ−ｂへのダウンリンク伝送が１５個の利用可能なＨＳＤＰＡ直交可変拡散ファクタ（ＯＶＳＦ）コードを用いて異なる送信時間間隔（ＴＴＩｓ）でスケジューリングされる。送信時間間隔（ＴＴＩ）中に無線通信装置１０４に割り当てられているダウンリンク帯域幅に応じて個々の無線通信装置１０４は所定の送信時間間隔（ＴＴＩ）で１５個のＨＳＤＰＡコードを１個以上使用することができる。上に述べたように、コードスペース内のどのコードを用いてダウンリンクペイロードデータ（無線通信システム１００の制御データ以外のデータ）を無線通信装置１０４に送信すれば良いのかをダウンリンクペイロードデータの伝送に用いられる変調と一緒に送信時間間隔（ＴＴＩ）毎に無線通信装置１０４に制御情報が指示する。
【００３３】
基地局１０２から受信した通信に基づいて無線通信装置１０４は一つ以上のチャネル品質インジケータ（ＣＱＩ：channel quality indicator）１１２ａ−ｂを生成する。個々のチャネル品質インジケータ（ＣＱＩ）１１２は基地局１０２と無線通信装置１０４との間のダウンリンク１０６チャネルのチャネル測定値（channel measurement）で構わない。チャネル品質インジケータ（ＣＱＩ）１１２は、無線通信システム１００が採用している伝送方式におそらく依存している。基地局１０２と無線通信装置１０４との間でマルチ入力マルチ出力（ＭＩＭＯ）通信が用いられているので、個々のチャネル品質インジケータ（ＣＱＩ）１１２は基地局１０２と無線通信装置１０４との間の異なるダウンリンク１０６チャネル（すなわち、送信アンテナと受信アンテナとの異なる対）におそらく対応している。
【００３４】
無線通信装置１０４は、チャネル品質インジケータ（ＣＱＩｓ）１１２を用いて好ましいビーム１１０ａ−ｂを確定することができる。好ましいビーム１１０は、アンテナの構造や重さ、基地局１０２から無線通信装置１０４に伝送される信号の伝送方向や位相に関連している。用語「ビーム（beam）」や「プリコーディングベクトル（precoding vector）」は、アンテナからデータが無線で流れる方向に関連している。マルチ入力マルチ出力（ＭＩＭＯ）では、基地局１０２と無線通信装置１０４との間の情報の伝送に複数本のビームが用いられる。したがって好ましいビームは、基地局１０２と無線通信装置１０４との間で最良（すなわち、最適）のデータストリームを生成するビームを言う。
【００３５】
リリース７のＨＳＰＡでは、シングルユーザＭＩＭＯ（ＳＵ−ＭＩＭＯ：single user MIMO）が用いられている。無線通信装置１０４が良いジオメトリを有している場合（すなわち、無線通信装置１０４が基地局１０２に対して良い位置にある場合）、無線通信装置１０４はデュアルストリーム伝送を基地局１０２に要求する。デュアルストリーム伝送では、送信時間間隔（ＴＴＩ）中に基地局１０２は第一データストリームおよび第二データストリームを無線通信装置１０４に伝送する。第一データストリームおよび第二データストリームは直交アンテナビームで伝送される。一方のデータストリームが他方のデータストリームよりもスループットの高いことがある（すなわち、好ましいデータストリーム）。ＭＩＭＯの可能な無線通信装置１０４がデュアルストリーム伝送を要求した時に好ましいビームのチャネル品質インジケータ（ＣＱＩ）１１２がこの好ましいビームの他に用いられている直交ビームのチャネル品質インジケータよりも高い場合がある。したがって、両データストリームで無線通信装置１０４に伝送することは効率の良いリソースの使用方法であるとはとても言えないことがある。
【００３６】
これに対してマルチユーザＭＩＭＯ（ＭＵ−ＭＩＭＯ）では、基地局１０２のリソースを高度に利用することにより従来のＳＵ−ＭＩＭＯに比べてダウンリンク１０６のユーザスループットを増大させることができる。ＭＵ−ＭＩＭＯでは、一台の無線通信装置１０４にデュアルストリーム伝送をする場合に比べて特定の送信時間間隔（ＴＴＩ）のスループットを増大させることができる。ダウンリンクデータストリーム選択モジュール１１４は、デュアルダウンリンクデータストリームを一台の無線通信装置１０４（すなわち、ＳＵ−ＭＩＭＯ）に使用するか、それとも、第一データストリームを第一無線通信装置１０４ａに使用し、第一データストリームに直交する第二データストリームを第一無線通信装置１０４ｂ（すなわち、ＭＵ−ＭＩＭＯ）に使用するかを決定する。
【００３７】
チャネル品質インジケータ（ＣＱＩ）１１２は、シングルストリーム伝送またはデュアルストリーム伝送の要求に対応している。上で述べたように、無線通信装置１０４は複数のチャネル品質インジケータ（ＣＱＩｓ）１１２を有している。無線通信装置１０４は複数のチャネル品質インジケータ（ＣＱＩｓ）１１２を送信時間間隔（ＴＴＩ）毎に生成することができる。無線通信装置１０４は、送信時間間隔（ＴＴＩ）毎にチャネル品質インジケータ（ＣＱＩ）１１２を残らず送信することができない。現在の規格では、無線通信装置１０４は最適なチャネル品質インジケータ（ＣＱＩ）１１２を送信時間間隔（ＴＴＩ）毎に基地局１０２に送信することができるだけである。
【００３８】
無線通信装置１０４は、基地局１０２に対して良いジオメトリを有している（すなわち、基地局１０２と無線通信装置１０４との間のチャネル品質が閾値よりも高い）と判定すると、最適なデュアルストリームマルチ入力マルチ出力（ＭＩＭＯ）チャネル品質インジケータ（ＣＱＩ）１１２を基地局１０２に送信する。無線通信装置１０４は、基地局１０２に対して悪いジオメトリを有している（すなわち、基地局１０２と無線通信装置１０４との間のチャネル品質が閾値よりも低い）と判定すると、最適なシングルストリームマルチ入力マルチ出力（ＭＩＭＯ）チャネル品質インジケータ（ＣＱＩ）１１２を基地局１０２に送信する。
【００３９】
但し、チャネル品質インジケータ（ＣＱＩ）１１２はストリーム間干渉（ＩＳＩ）を考慮していない。ストリーム間干渉（ＩＳＩ）とは、基地局１０２が複数本のデータストリームを同時に伝送すると生じる可能性のある干渉を言う。ストリーム間干渉（ＩＳＩ）が考慮されていないので基地局１０２は無線通信装置１０４が復号化することのできないビットレートを使用する可能性がある。
【００４０】
個々の無線通信装置１０４は、チャネル品質インジケータ（ＣＱＩ）フィードバックモジュール１１９ａ−ｂを含むことができる。チャネル品質インジケータ（ＣＱＩ）フィードバックモジュール１１９は、どのチャネル品質インジケータ（ＣＱＩ）１１２を基地局１０２に送信すれば良いのかを判定するために無線通信装置１０４により使用される。チャネル品質インジケータ（ＣＱＩ）フィードバックモジュール１１９は、ストリーム間干渉（ＩＳＩ）をなくすように調整されているシングルストリームチャネル品質インジケータ（ＣＱＩ）１１２を生成することができる。ある構成では、チャネル品質インジケータ（ＣＱＩ）フィードバックモジュール１１９は、リリース７を用いて生成されたチャネル品質インジケータ（ＣＱＩ）１１２の送信とストリーム間干渉（ＩＳＩ）の調整が行われているチャネル品質インジケータ（ＣＱＩ）１１２とを送信時間間隔（ＴＴＩ）毎に交互に繰り返す。
【００４１】
無線通信装置１０４は、アップリンク１０８チャネルを介してチャネル品質インジケータ（ＣＱＩｓ）１１２を基地局１０２に送信することができる。基地局１０２は、多くのダウンリンク１０６チャネルに対応している多くの無線通信装置１０４からチャネル品質インジケータ（ＣＱＩ）１１６を受信することができる。基地局１０２は、ダウンリンクデータストリーム選択モジュール１１４を有していても構わない。ダウンリンクデータストリーム選択モジュール１１４は受信したチャネル品質インジケータ（ＣＱＩ）１１６を含むことができる。ダウンリンクデータストリーム選択モジュール１１４は受信したチャネル品質インジケータ（ＣＱＩ）１１６を用いて各無線通信装置１０４のスケジューリングを決めることができる。図２を参照してダウンリンクデータストリーム選択モジュール１１４を詳しく説明する。
【００４２】
ダウンリンクデータストリーム選択モジュール１１４はデータレート１２１を含んでいても良い。データレート１２１は、ダウンリンク１０６データストリームのビットレートに関連している。ダウンリンクデータストリーム選択モジュール１１４はマルチユーザマルチ入力マルチ出力（ＭＵ−ＭＩＭＯ）適応性アウターループマージン１１５も有していることがある。マルチユーザマルチ入力マルチ出力（ＭＵ−ＭＩＭＯ）適応性アウターループマージン１１５は、チャネル品質インジケータ（ＣＱＩ）１１２フィードバックサイクル毎に基地局１０２がデータレート１２１に施す調節である。チャネル品質インジケータ（ＣＱＩ）１１２フィードバックサイクルが１である場合には無線通信装置１０４は送信時間間隔（ＴＴＩ）毎にチャネル品質インジケータ（ＣＱＩ）１１２を報告する。
【００４３】
マルチユーザマルチ入力マルチ出力（ＭＵ−ＭＩＭＯ）適応性アウターループマージン１１５は、無線通信装置１０４が単一ストリームチャネル品質インジケータ（ＣＱＩ）１１２を送信し、基地局１０２がマルチユーザマルチ入力マルチ出力（ＭＵ−ＭＩＭＯ）伝送の使用を決定した時に、データレート１２１を高めたり低めたりするために基地局１０２により用いられることがある。
【００４４】
ダウンリンクデータストリーム選択モジュール１１４は、シングルユーザマルチ入力マルチ出力（ＳＵ−ＭＩＭＯ）適応性アウターループマージン１１７も有していることがある。シングルユーザマルチ入力マルチ出力（ＳＵ−ＭＩＭＯ）適応性アウターループマージン１１７は、無線通信装置１０４が単一ストリームかデュアルストリームの伝送を要求し、基地局１０２がシングルユーザマルチ入力マルチ出力（ＳＵ−ＭＩＭＯ）伝送を用いることを決めた時、または無線通信装置１０４がデュアルストリーム伝送を要請し、基地局１０２がマルチユーザマルチ入力マルチ出力（ＭＵ−ＭＩＭＯ）の使用を決めた時に、データレート１２１を高めたり低めたりするために基地局１０２により用いられる。シングルユーザマルチ入力マルチ出力（ＳＵ−ＭＩＭＯ）適応性アウターループマージン１１７およびマルチユーザマルチ入力マルチ出力（ＭＵ−ＭＩＭＯ）適応性アウターループマージン１１５は無線通信装置１０４から肯定応答や否定応答（ＡＣＫ／ＮＡＣＫ）の受信に基づいて両者とも調整されたり更新されたりする。シングルユーザマルチ入力マルチ出力（ＳＵ−ＭＩＭＯ）適応性アウターループマージン１１７およびマルチユーザマルチ入力マルチ出力（ＭＵ−ＭＩＭＯ）適応性アウターループマージン１１５は図３を参照して付加的に詳しく説明する。
【００４５】
図２は、無線装置を複数台有している別の無線通信システム２００を示している。無線通信システム２００はノードＢ２０２を有している。図２のノードＢ２０２は図１の基地局１０２の一構成である。無線通信システム２００は、第一ユーザ機器（ＵＥ）２０４ａおよび第二ユーザ機器（ＵＥ）２０４ｂも有している。図２の第一ユーザ機器（ＵＥ）２０４ａおよび第二ユーザ機器（ＵＥ）２０４ｂは図１の無線通信装置１０４ａ−ｂの一構成である。
【００４６】
ノードＢ２０２にはダウンリンクデータストリーム選択モジュール２１４も含まれている。図２のダウンリンクデータストリーム選択モジュール２１４は図１のダウンリンクデータストリーム選択モジュール１１４の一構成である。ダウンリンクデータストリーム選択モジュール２１４はユーザ機器（ＵＥ）を一対にするモジュール２２２を有している。ユーザ機器（ＵＥ）を一対にするモジュール２２２はユーザ機器（ＵＥ）の対２２４を一対以上決定する。ユーザ機器（ＵＥ）の対２２４は、互いに直交している好ましいデータストリーム２１８を有している二台のユーザ機器（ＵＥｓ）２０４を言う。図４を参照してユーザ機器（ＵＥ）の対２２４を以下にさらに詳しく説明する。ノードＢ２０２には選択されたユーザ機器（ＵＥ）の対２２５も含まれている。ノードＢ２０２は直交するデータストリームを同時に二本だけしか送信することができないので一対のユーザ機器（ＵＥ）２２４だけがユーザ機器の対２２５として選択される。最適化の手順は選択されたユーザ機器（ＵＥ）を判定するために使用することができる。
【００４７】
ノードＢ２０２は、選択されたユーザ機器（ＵＥ）の対２２５として一対のユーザ機器（ＵＥ）２２４を選択する。ある構成では、二台の異なるユーザ機器（ＵＥｓ）２０４のデータストリームの合計レートが二本のデータストリームに関するＵＥに固有な合計レートよりも大きい場合にノードＢ２０２はユーザ機器（ＵＥ）の対２２４を選択する。例えば、第一ユーザ機器（ＵＥ）２０４ａが二本のデータストリームを要求する場合、第一ユーザ機器（ＵＥ）２０４ａは好ましい主要プリコーディングベクトルｂ１を報告するだけでなく、好ましい（強い）データストリーム２１８ａおよび二次的（弱い）データストリーム２２０にそれぞれ対応している二個のチャネル品質（ＣＱＩｓ）インジケータ１１２  ＣＱＩ１およびＣＱＩ２も報告する。同様に、第二ユーザ機器（ＵＥ）２０４ｂが二本のストリームのデータを要求する場合、第二ユーザ機器（ＵＥ）２０４ｂは好ましい主要なプリコードベクトルｂ２と両データストリーム用のチャネル品質（ＣＱＩｓ）インジケータ１１２  ＣＱＩ１´およびＣＱＩ２´を報告する。
【００４８】
（ｂ１に直交している）好ましい二次プリコーディングベクトルはｂ２であり、好ましい主要プリコーディングベクトルｂ１に基づいて基地局１０２により知られている。もしＣＱＩ１＞ＣＱＩ１´およびＣＱＩ２＞ＣＱＩ２´であるならば、第一ユーザ機器（ＵＥ）の好ましいデータストリーム２１８ａはプリコーディングベクトルｂ１にマッピングされ、第二ユーザ機器（ＵＥ）の好ましいデータストリーム２１８ｂはプリコーディングベクトルｂ２にマッピングされる。基地局１０２は、所定の送信時間間隔（ＴＴＩ）で直交ビームにより最大で二本のデータストリームを送信できるだけである。したがって、直交している好ましいビーム２２８を有しているユーザ機器（ＵＥｓ）２０４だけが一対にされる。
【００４９】
第一ユーザ機器（ＵＥ）２０４ａおよび第二ユーザ機器（ＵＥ）２０４ｂの両者がビームｂ１およびビームｂ２を要求すると、ノードＢ２０２はビームｂ１およびｂ２に基づいて両ユーザ機器（ＵＥｓ）２０４を一対にする。この組合せが送信時間間隔（ＴＴＩ）中に特定のメトリックを最大にすることをノードＢ２０２が見出すと、ノードＢ２０２は同じ直交可変拡散ファクタ（ＯＶＳＦ）コード２２６を用いてデータストリームを選択したユーザ機器（ＵＥ）の対２２５に同じ送信時間間隔（ＴＴＩ）にスケジューリングする。直交可変拡散ファクタ（ＯＶＳＦ）コード２２６は個々の通信チャネルを一義的に識別することを容易にする直交コードである。最大化されるメトリックの一例として合計公平均衡法（sum proportional fair metric）がある。合計公平均衡法では、MU−MIMO伝送を考慮する度に公平な均衡度がストリーム毎に合計される。他の基準（metrics）を用いても良い。
【００５０】
ノードＢ２０２は、送信時間間隔（ＴＴＩ）においてＳＵ−ＭＩＭＯを用いて第一ユーザ機器（ＵＥ）２０４ａと通信をすることができる。例えばノードＢ２０２は、第一の好ましいビーム２２８ａを用いて第一ユーザ機器（ＵＥ）の好ましいデータストリーム２１８ａを第一ユーザ機器（ＵＥ）２０４ａに伝送することができる。ノードＢ２０２は、第一の二次的ビーム２３０ａを用いて第一ユーザ機器（ＵＥ）の二次的データストリーム２２０ａを第一ユーザ機器（ＵＥ）２０４ａに伝送することもできる。第一の好ましいビーム２２８ａおよび第一の二次的ビーム２３０ａは互いに直交している。
【００５１】
第二の送信時間間隔（ＴＴＩ）においてノードＢ２０２は第二ユーザ機器（ＵＥ）２０４ｂと通信をすることができる。例えばノードＢ２０２は、第二の好ましいビーム２２８ｂを用いて第二ユーザ機器（ＵＥ）の好ましいデータストリーム２１８ｂを第二ユーザ機器（ＵＥ）２０４ｂに伝送することができる。ノードＢ２０２は、第二の二次的ビーム２３０ｂを用いて第二ユーザ機器（ＵＥ）の二次的データストリーム２２０ｂを第二ユーザ機器（ＵＥ）２０４ｂに伝送することができる。第二の好ましいビーム２２８ｂおよび第二の二次的ビーム２３０ｂは互いに直交している。
【００５２】
直交するビームで両データストリームを同じユーザ機器（ＵＥ）２０４に送信することは無線通信システム２００にとって最良のリソース活用になっていないかも知れない。言い換えれば、好ましいデータストリーム２１８は二次的なデータストリーム２２０よりもチャネル品質インジケータ（ＣＱＩ）１１２が強いので二本のデータストリームを直交するビームで同じユーザ機器（ＵＥ）２０４に送信することはノードＢ２０２の電力を最も効率の良い方法で割り当てていないかも知れない。それぞれのデータストリームの伝送に同じ量の電力を用いているのであれば（二次的なデータストリーム２２０はチャネル品質インジケータ（ＣＱＩ）１１２が低いので）二次的なデータストリーム２２０のスループットは好ましいデータストリーム２１８のスループットよりも低いからである。
【００５３】
ＳＵ−ＭＩＭＯの代わりにＭＵ−ＭＩＭＯを用いることによりノードＢ２０２のリソースをより高度に利用することができるのでダウンリンク１０６のユーザスループットがおそらく増大する。ＭＵ−ＭＩＭＯでは、ノードＢ２０２は互いに直交する二本の好ましいビーム２２８を用いて第一ユーザ機器（ＵＥ）２０４ａと第二ユーザ機器（ＵＥ）２０４ｂとを発見する。以下では第一ユーザ機器（ＵＥ）２０４ａと第二ユーザ機器（ＵＥ）２０４ｂとをユーザ機器（ＵＥ）の対２２４と言うことがある。
【００５４】
一回の送信時間間隔（ＴＴＩ）においてデュアルストリーム（すなわち、好ましいデータストリーム２１８と二次的なデータストリーム２２０）をユーザ機器（ＵＥ）２０４に伝送する代わりに、ノードＢ２０２は第一ユーザ機器（ＵＥ）の好ましいデータストリーム２１８ａを第一ユーザ機器（ＵＥ）２０１ａに伝送し、これと同時に、第二ユーザ機器（ＵＥ）の好ましいデータストリーム２１８ｂを第二ユーザ機器（ＵＥ）２０４ｂに伝送することができる。したがってノードＢ２０２は、第一ユーザ機器（ＵＥ）の二次的なデータストリーム２２０ａおよび第二ユーザ機器（ＵＥ）の二次的なデータストリーム２２０ｂの伝送を差し控える。ノードＢ２０２は、第一ユーザ機器（ＵＥ）の好ましいデータストリーム２１８ａおよび第二ユーザ機器（ＵＥ）の好ましいデータストリーム２１８ｂを同じコード（すなわち、１６種類の拡散ファクタを有している直交可変拡散ファクタ（ＯＶＳＦ）コード２２６）を用いて伝送する。ノードＢ２０２はスループットの低いデータストリームに電力を割り当てる必要がないので無線通信システム２００はスループットが改善される。
【００５５】
ノードＢ２０２は、第一の好ましいビーム２２８ａを用いて第一ユーザ機器（ＵＥ）の好ましいデータストリーム２１８ａを伝送する。ノードＢ２０２は、第一の二次的なビーム２３０ａを用いて第一ユーザ機器（ＵＥ）の二次的なデータストリーム２２０ａを伝送する。ノードＢ２０２は、第二の好ましいビーム２２８ｂを用いて第二ユーザ機器（ＵＥ）の好ましいデータストリーム２１８ｂを伝送する。ノードＢ２０２は、第二の二次的なビーム２３０ｂを用いて第二ユーザ機器（ＵＥ）の二次的なデータストリーム２２０ｂを伝送する。第一ユーザ機器（ＵＥ）２０４ａおよび第二ユーザ機器（ＵＥ）２０４ｂがユーザ機器（ＵＥ）の対２２４であるならば、第一の好ましいビーム２２８ａおよび第二の好ましいビーム２２８ｂは直交している。
【００５６】
図３は、シングルユーザマルチ入力マルチ出力（ＳＵ−ＭＩＭＯ）伝送およびマルチユーザマルチ入力マルチ出力（ＭＵ−ＭＩＭＯ）伝送の両者におけるストリーム間干渉（ＩＳＩ）を考慮してデータレート１２１を調節する方法３００の流れ図である。方法３００は基地局１０２が実施する。ある構成では基地局１０２はノードＢ２０２である。図３の方法３００は、基地局１０２が通信をしている複数台のユーザ機器（ＵＥｓ）２０４に変化を報告するチャネル品質インジケータ（ＣＱＩ）１１２を必要としていない。
【００５７】
基地局１０２は、第一のデータレート１２１で単一ストリーム伝送を要求しているユーザ機器（ＵＥ）２０４からチャネル品質インジケータ（ＣＱＩ）１１２を３０２で受信する。このチャネル品質インジケータ（ＣＱＩ）１１２は、基地局１０２がデュアルストリーム伝送を用いていると生じているかも知れないストリーム間干渉（ＩＳＩ）を考慮していない。受信したチャネル品質インジケータ（ＣＱＩ）１１２がデュアルストリーム伝送を要求していた場合には方法３００は適用されない。なぜなら、デュアルストリーム伝送を要求しているユーザ機器（ＵＥ）２０４はストリーム間干渉（ＩＳＩ）を考慮したストリーム毎に特定のビットレートを基地局１０２に要求しているからである。
【００５８】
チャネル品質インジケータ（ＣＱＩ）１１２の受信後に基地局１０２は、シングルユーザマルチ入力マルチ出力（ＳＵ−ＭＩＭＯ）伝送およびマルチユーザマルチ入力マルチ出力（ＭＵ−ＭＩＭＯ）伝送のどちらを使用してデータを伝送するのかを３０４で決定する。基地局１０２は、シングルユーザマルチ入力マルチ出力（ＳＵ−ＭＩＭＯ）伝送およびマルチユーザマルチ入力マルチ出力（ＭＵ−ＭＩＭＯ）伝送のどちらを使用してデータを伝送するのかを順位付けアルゴリズムを用いて決定する。順位付けアルゴリズムを以下に詳細に説明する。
【００５９】
基地局１０２は、マルチユーザマルチ入力マルチ出力（ＭＵ−ＭＩＭＯ）をデータの伝送に用いることを決定した場合には、マルチユーザマルチ入力マルチ出力（ＭＵ−ＭＩＭＯ）適応性アウターループマージン１１５により第一のデータレート１２１を３０６で調節して第二のデータレート１２１を取得する。マルチユーザマルチ入力マルチ出力（ＭＵ−ＭＩＭＯ）適応性アウターループマージン１１５はｄＢ（対数）領域では正または負のどちらかである。マルチユーザマルチ入力マルチ出力（ＭＵ−ＭＩＭＯ）適応性アウターループマージン１１５は対数領域では加算的であり、線形領域では乗算的である。ある構成では、マルチユーザマルチ入力マルチ出力（ＭＵ−ＭＩＭＯ）適応性アウターループマージン１１５は一定でない。マルチユーザマルチ入力マルチ出力（ＭＵ−ＭＩＭＯ）適応性アウターループマージン１１５はＡＣＫ／ＮＡＣＫを受信する度に更新される。別の構成では、マルチユーザマルチ入力マルチ出力（ＭＵ−ＭＩＭＯ）適応性アウターループマージン１１５は定数である。３０８で基地局１０２は、マルチユーザマルチ入力マルチ出力（ＭＵ−ＭＩＭＯ）を用いて第二のデータレート１２１でユーザ機器（ＵＥ）２０４にデータストリームを送信する。
【００６０】
基地局１０２がユーザ機器（ＵＥ）２０４からＡＣＫ／ＮＡＣＫを３１０で受信する。すると、対応するデータ伝送のためにＡＣＫとＮＡＣＫのどちらを受信したのかを基地局１０２は３１２で決定する。ＡＣＫを受信した場合には（すなわち、ユーザ機器（ＵＥ）２０４がデータ伝送を成功裏に復号化することができた場合には）、基地局１０２はマルチユーザマルチ入力マルチ出力（ＭＵ−ＭＩＭＯ）適応性アウターループマージン１１５を３１４で減少させる。ある構成では基地局１０２は、マルチユーザマルチ入力マルチ出力（ＭＵ−ＭＩＭＯ）適応性アウターループマージン１１５を３１４で少しずつ減少させる。さらに別の構成では、基地局１０２は関数を用いてマルチユーザマルチ入力マルチ出力（ＭＵ−ＭＩＭＯ）適応性アウターループマージン１１５を３１４で減少させる。３０２で基地局１０２は、別のチャネル品質インジケータ（ＣＱＩ）１１２をユーザ機器（ＵＥ）２０４から受信するまで俟つ。
【００６１】
ＮＡＣＫを受信した場合には（すなわち、ユーザ機器（ＵＥ）２０４がデータ伝送を成功裏に復号化することができなかった場合には）、基地局１０２はマルチユーザマルチ入力マルチ出力（ＭＵ−ＭＩＭＯ）適応性アウターループマージン１１５を３１６で増大させる。ある構成では、基地局１０２はマルチユーザマルチ入力マルチ出力（ＭＵ−ＭＩＭＯ）適応性アウターループマージン１１５を３１６で少しずつ増大させる。さらに別の構成では基地局１０２は関数を用いて適応性アウターループマージン１１５を３１６で増大させる。３０２で基地局１０２は、別のチャネル品質インジケータ（ＣＱＩ）１１２をユーザ機器（ＵＥ）２０４から受信するまで俟つ。
【００６２】
シングルユーザマルチ入力マルチ出力（ＳＵ−ＭＩＭＯ）を伝送に用いることを基地局１０２が決定すると、基地局１０２は３１８でシングルユーザマルチ入力マルチ出力（ＳＵ−ＭＩＭＯ）適応性アウターループマージン１１７により第一のデータレート１２１を調節して第三のデータレート１２１を取得する。シングルユーザマルチ入力マルチ出力（ＳＵ−ＭＩＭＯ）適応性アウターループマージン１１７はｄＢ（対数）領域では正または負のどちらかである。シングルユーザマルチ入力マルチ出力（ＳＵ−ＭＩＭＯ）適応性アウターループマージン１１７は対数領域では加算的であり、線形領域では乗算的である。ある構成では、シングルユーザマルチ入力マルチ出力（ＳＵ−ＭＩＭＯ）適応性アウターループマージン１１７は一定でない。シングルユーザマルチ入力マルチ出力（ＳＵ−ＭＩＭＯ）適応性アウターループマージン１１７はＡＣＫ／ＮＡＣＫを受信する度に更新される。別の構成では、シングルユーザマルチ入力マルチ出力（ＳＵ−ＭＩＭＯ）適応性アウターループマージン１１７は定数である。３２０で基地局１０２は、シングルユーザマルチ入力マルチ出力（ＳＵ−ＭＩＭＯ）を用いて第三のデータレート１２１でユーザ機器（ＵＥ）２０４にデータストリームを送信する。
【００６３】
基地局１０２が、ユーザ機器（ＵＥ）２０４からＡＣＫ／ＮＡＣＫを３２２で受信する。すると、対応するデータ伝送のためにＡＣＫとＮＡＣＫのどちらを受信したのかを基地局１０２は３２４で決定する。ＡＣＫを受信した場合には（すなわち、ユーザ機器（ＵＥ）２０４がデータ伝送を成功裏に復号化することができた場合には）、基地局１０２はシングルユーザマルチ入力マルチ出力（ＳＵ−ＭＩＭＯ）適応性アウターループマージン１１７を３２６で減少させる。ある構成では基地局１０２は、シングルユーザマルチ入力マルチ出力（ＳＵ−ＭＩＭＯ）適応性アウターループマージン１１７を３２６で少しずつ減少させる。さらに別の構成では、基地局１０２は関数を用いてシングルユーザマルチ入力マルチ出力（ＳＵ−ＭＩＭＯ）適応性アウターループマージン１１７を３２６で減少させる。３０２で基地局１０２は、別のチャネル品質インジケータ（ＣＱＩ）１１２をユーザ機器（ＵＥ）２０４から受信するまで俟つ。
【００６４】
ＮＡＣＫを受信した場合には（すなわち、ユーザ機器（ＵＥ）２０４がデータ伝送を成功裏に復号化することができなかった場合には）、基地局１０２はシングルユーザマルチ入力マルチ出力（ＳＵ−ＭＩＭＯ）適応性アウターループマージン１１７を３２８で増大させる。ある構成では、基地局１０２はシングルユーザマルチ入力マルチ出力（ＳＵ−ＭＩＭＯ）適応性アウターループマージン１１７を３２８で少しずつ増大させる。さらに別の構成では基地局１０２は関数を用いてシングルユーザマルチ入力マルチ出力（ＳＵ−ＭＩＭＯ）適応性アウターループマージン１１７を３２８で増大させる。３０２で基地局１０２は、別のチャネル品質インジケータ（ＣＱＩ）１１２をユーザ機器（ＵＥ）２０４から受信するまで俟つ。
【００６５】
シングルユーザマルチ入力マルチ出力（ＳＵ−ＭＩＭＯ）適応性アウターループマージン１１７およびマルチユーザマルチ入力マルチ出力（ＭＵ−ＭＩＭＯ）適応性アウターループマージン１１５はどちらも動的なので、デュアルループアルゴリズムとして図３の方法３００を説明することもできる。デュアルループアルゴリズムのある利点はチャネル品質インジケータ（ＣＱＩ）１１２報告プロトコル（例えば、３ＧＰＰが確定した高速パケットアクセス（ＨＳＰＡ）規格）を変更する必要がないことである。シングルユーザマルチ入力マルチ出力（ＳＵ−ＭＩＭＯ）適応性アウターループマージン１１７およびマルチユーザマルチ入力マルチ出力（ＭＵ−ＭＩＭＯ）適応性アウターループマージン１１５が比較的ゆっくりと変わるので最適なパフォーマンスがなかなか得られないことが不利な点である。
【００６６】
図４は、ユーザ機器（ＵＥｓ）４０４を一対にするための照合表の例を示すブロック図である。この表では、ユーザ機器（ＵＥ）の対４３２を決めるために五台のユーザ機器（ＵＥｓ）４０４ａ−ｅを照合している。ユーザ機器（ＵＥｓ）４０４はいずれもデュアルストリームが可能である。しかし、各ユーザ機器（ＵＥｓ）４０４にとって好ましいビーム２２８だけを各ユーザ機器（ＵＥｓ）４０４にとって好ましいビーム２２８と照合している。
【００６７】
あるユーザ機器（ＵＥ）４０４の好ましいビーム２２８が別のユーザ機器（ＵＥ）４０４の好ましいビーム２２８と直交している場合にユーザ機器（ＵＥ）の対４３２が生じる。例えば、ＵＥ１  ４０４ａの好ましいビーム２２８はＵＥ４  ４０４ｄの好ましいビーム２２８と直交している。したがって、ＵＥ１  ４０４ａとＵＥ４  ４０４ｄとがユーザ機器（ＵＥ）の対４３２ａである。別の例として、ＵＥ２  ４０４ｂの好ましいビーム２２８はＵＥ３  ４０４ｃの好ましいビーム２２８と直交している。したがって、ＵＥ２  ４０４ｂとＵＥ３  ４０４ｃとがユーザ機器（ＵＥ）の対４３２ｂである。ユーザ機器（ＵＥｓ）４０４の好ましいビーム２２８が直交していない場合には非直交として表に示されている。あるユーザ機器（ＵＥ）４０４の好ましいビーム２２８が複数台のユーザ機器（ＵＥｓ）４０４の好ましいビーム２２８と直交していることもあれば、あるユーザ機器（ＵＥ）４０４の好ましいビーム２２８が対の候補となるどのユーザ機器（ＵＥｓ）４０４の好ましいビーム２２８とも直交していないこともある。例えば、ＵＥ５  ４０４ｅの好ましいビーム２２８は他のどのユーザ機器（ＵＥｓ）４０４の好ましいビーム２２８とも直交していない。
【００６８】
【数１】
0005635120.tif 000002
【数２】
0005635120.tif 000003
【数３】
0005635120.tif 000004
【数４】
0005635120.tif 000005
【数５】
0005635120.tif 000006
【００６９】
次に、順位付けアルゴリズム（ranking algorithm）が用いられる。順位付けアルゴリズムは、優先度の最も高いＭＵ−ＭＩＭＯの対および優先度の最も高いＳＵ−ＭＩＭＯのユーザを送信時間間隔（ＴＴＩ）毎に特定する。自由なＨＡＲＱ処理およびデータをＭＡＣ優先待ち行列内に有しているユーザは有資格と言われる。報告を受けたＣＱＩ（量子化されたデシベル単位（ｄＢ）の信号対雑音比（ＳＮＲ））が有資格ユーザ毎にスペクトル効率（spectral efficiency）に（ビットやシンボルの単位で）マッピングされる。
【００７０】
ＳＵ−ＭＩＭＯユーザ順位リストは公平均衡ルールにしたがって全有資格ユーザについて演算される。報告を受けたチャネルの順位にしたがってシングルストリームまたはデュアルストリームのどちらかのＳＵ−ＭＩＭＯが有資格ユーザ毎に仮定される。ユーザを一対にする手法にしたがっていて優先度の最も高いＭＵ−ＭＩＭＯの資格のある対が公平均衡ルールにしたがって決まる。必要があれば、対になっているユーザ相互間の電力分割の原因になっているスペクトル効率を変更する。優先度の比較に基づいてＳＵ−ＭＩＭＯ順位リストの中で最も優先度の高いユーザか最も優先度の高いＭＵ−ＭＩＭＯユーザ対のどちらかが瞬間的な送信時間間隔（ＴＴＩ）にスケジューリングされる（但し、ＳＵ−ＭＩＭＯには一人のユーザだけが送信時間間隔（ＴＴＩ）毎にスケジューリングされ、ＭＵ−ＭＩＭＯには一対のユーザだけが送信時間間隔（ＴＴＩ）毎にスケジューリングされるものと仮定している）。
【００７１】
図５は、複数の送信時間間隔（ＴＴＩｓ）５３８がある時系列５００を例示するブロック図である。ノードＢ５０２は、第一ユーザ機器（ＵＥ）５０４ａ、第二ユーザ機器（ＵＥ）５０４ｂ、第三ユーザ機器（ＵＥ）５０４ｃと通信をする。第一の送信時間間隔（ＴＴＩ）５３８ａで第一ユーザ機器（ＵＥ）５０４ａおよび第二ユーザ機器（ＵＥ）５０４ｂはそれぞれが第一ユーザ機器（ＵＥ）の対５３４ａの一部である。ノードＢ５０２は、直交する好ましいデータストリーム２１８で第一ユーザ機器（ＵＥｓ）の対５３４への伝送５３６（すなわち、第一ユーザ機器（ＵＥ）に好ましいデータストリーム２１８ａを使用した第一ユーザ機器（ＵＥ）５０４ａへの伝送および第二ユーザ機器（ＵＥ）に好ましいデータストリーム２１８ｂを使用した第二ユーザ機器（ＵＥ）５０４ｂへの伝送）を第一の送信時間間隔（ＴＴＩ）５３８ａにおいて行う。
【００７２】
第一の送信時間間隔（ＴＴＩ）５３８ａの後でノードＢ５０２は受信したチャネル品質インジケータ（ＣＱＩｓ）１１２の評価５４０を行って第一ユーザ機器（ＵＥ）の対５３４を選択し直す。例えば、ノードＢ５０２は第二の送信時間間隔（ＴＴＩ）５３８ｂのために第二ユーザ機器（ＵＥ）の対５３４ｂを選択する。第二ユーザ機器（ＵＥ）の対５３４ｂは、第二ユーザ機器（ＵＥ）５０４ｂと第三ユーザ機器（ＵＥ）５０４ｃとで構成されている。ノードＢ５０２は、直交する好ましいデータストリーム２１８で選択した第二ユーザ機器（ＵＥ）の対５３４ｂへの伝送５４２（すなわち、第二ユーザ機器（ＵＥ）に好ましいデータストリーム２１８ｂを使用した第二ユーザ機器（ＵＥ）５０４ｂへの伝送および第三ユーザ機器（ＵＥ）に好ましいデータストリーム２１８ｃを使用した第三ユーザ機器（ＵＥ）５０４ｃへの伝送）を第二の送信時間間隔（ＴＴＩ）５３８ｂにおいて行う。
【００７３】
図６は、ストリーム間干渉（ＩＳＩ）を考慮してチャネル品質インジケータ（ＣＱＩ）１１２フィートバックを送信する方法６００の流れ図である。方法６００はユーザ機器（ＵＥ）２０４が実行する。ユーザ機器（ＵＥ）２０４は高速パケットアクセス（ＨＳＰＡ）システムで作動する。図６の方法６００では、チャネル品質インジケータ（ＣＱＩｓ）１１２を受信する基地局１０２に規格の変更は不要である。
【００７４】
ユーザ機器（ＵＥ）２０４は、ストリーム間干渉（ＩＳＩ）の調節が行われている最適なシングルストリームマルチ入力マルチ出力（ＭＩＭＯ）チャネル品質インジケータ（ＣＱＩ）１１２の決定６０２をする。ユーザ機器（ＵＥ）２０４は、マルチユーザマルチ入力マルチ出力（ＭＵ−ＭＩＭＯ）に関してチャネル品質インジケータ（ＣＱＩ）１１２をビームに沿って計算する度に当該ビームに直交しているビームに電力の５０％が向けられていると仮定している。これは、ストリーム間干渉（ＩＳＩ）の調節が行われているチャネル品質インジケータ（ＣＱＩ）１１２を取得するのに十分である。
【００７５】
選択すべきチャネル品質インジケータ（ＣＱＩｓ）１１２には四種類がある。高速パケットアクセスの幾つかの構成では、シングルストリームマルチ入力マルチ出力（ＭＩＭＯ）チャネル品質インジケータ（ＣＱＩｓ）１１２はストリーム間干渉（ＩＳＩ）を考慮していないので基地局１０２がマルチユーザマルチ入力マルチ出力（ＭＵ−ＭＩＭＯ）を用いている場合には基地局１０２は過度に楽観的なデータレート１２１（例えば、大きな伝送ブロックサイズ（ＴＢＳ））でユーザ機器（ＵＥ）２０４に伝送を行うことがある。ユーザ機器（ＵＥ）２０４がノードＢ２０２に最適な調節済みＭＩＭＯチャネル品質インジケータ（ＣＱＩ）１１２の伝送６０４を行う。
【００７６】
最適なマルチ入力マルチ出力（ＭＩＭＯ）チャネル品質インジケータ（ＣＱＩｓ）１１２の決定６０６をユーザ機器（ＵＥ）２０４が行う。最適なマルチ入力マルチ出力（ＭＩＭＯ）チャネル品質インジケータ（ＣＱＩｓ）１１２はシングルストリームかデュアルストリームのいずれかによるデータ伝送を要請する。最適なマルチ入力マルチ出力（ＭＩＭＯ）チャネル品質インジケータ（ＣＱＩｓ）１１２はリリース７にしたがって生成されたチャネル品質インジケータ（ＣＱＩｓ）１１２であるかも知れない。最適なシングルストリームマルチ入力マルチ出力（ＭＩＭＯ）チャネル品質インジケータ（ＣＱＩ）１１２と最適なデュアルストリームマルチ入力マルチ出力（ＭＩＭＯ）チャネル品質インジケータ（ＣＱＩ）１１２とのどちらを送信時間間隔（ＴＴＩ）内に使用するかの決定は高速パケットアクセスプロトコル（例えば、リリース７）にしたがって行われる。
【００７７】
シングルストリームチャネル品質インジケータ（ＣＱＩｓ）には４種類が可能であり、デュアルストリームチャネル品質インジケータ（ＣＱＩｓ）には２種類が可能である。ユーザ機器（ＵＥ）２０４は、最適なマルチ入力マルチ出力（ＭＩＭＯ）チャネル品質インジケータ（ＣＱＩ）１１２を６種類の可能なチャネル品質インジケータ（ＣＱＩｓ）１１２の最善として算出することができる。最適なマルチ入力マルチ出力（ＭＩＭＯ）チャネル品質インジケータ（ＣＱＩ）１１２は普通のチャネル品質インジケータ（ＣＱＩ）１１２に適用されるかも知れない。なぜなら、普通のチャネル品質インジケータ（ＣＱＩ）１１２はリリース７にしたがってユーザ機器（ＵＥ）２０４によりノードＢ２０２にフィードバックされるからである。ユーザ機器（ＵＥ）２０４は、最適なマルチ入力マルチ出力（ＭＩＭＯ）チャネル品質インジケータ（ＣＱＩ）１１２のノードＢ２０２への伝送６０８をする。ユーザ機器（ＵＥ）２０４は、６０２に戻ってストリーム間干渉（ＩＳＩ）の調節が行われている最適なシングルストリームマルチ入力マルチ出力（ＭＩＭＯ）チャネル品質インジケータ（ＣＱＩ）１１２を決定する。
【００７８】
一般に、良いジオメトリを有しているユーザ機器（ＵＥ）２０４は、シングルストリームチャネル品質インジケータ（ＣＱＩ）１１２よりもデュアルストリームチャネル品質インジケータ（ＣＱＩ）１１２をより多く報告する。セルの端に位置しているユーザ機器（ＵＥ）２０４は、デュアルストリームチャネル品質インジケータ（ＣＱＩ）１１２よりもシングルストリームチャネル品質インジケータ（ＣＱＩ）１１２をより多く報告する。
【００７９】
したがって、ユーザ機器（ＵＥ）２０４は、リリース７にしたがって生成されたチャネル品質インジケータ（ＣＱＩ）１１２とストリーム間干渉（ＩＳＩ）の調節が行われているチャネル品質インジケータ（ＣＱＩ）１１２とを交互に送信するかも知れない。言い換えれば、ユーザ機器（ＵＥ）２０４は、ストリーム間干渉（ＩＳＩ）の調節が行われている最適なシングルストリームチャネル品質インジケータ（ＣＱＩｓ）１１２を（リリース７にしたがって生成された）最適なマルチ入力マルチ出力（ＭＩＭＯ）チャネル品質インジケータ（ＣＱＩ）１１２の間に織り交ぜるかも知れない。ユーザ機器（ＵＥ）２０４が使用しているフィードバックサイクル次第でユーザ機器（ＵＥ）２０４は同じチャネル品質インジケータ（ＣＱＩ）１１２を送信時間間隔（ＴＴＩ）５３８毎に送信する可能性がある。
【００８０】
基地局１０２を使用する方法（図３の方法３００）の代わりにユーザ機器（ＵＥ）２０４を使用する方法（図６の方法６００）を採用することの利点は、より良いパフォーマンスが得られる可能性があることである。基地局１０２は、シングルユーザマルチ入力マルチ出力（ＳＵ−ＭＩＭＯ）伝送のスケジューリングをするためのチャネル品質インジケータ（ＣＱＩ）１１２やマルチユーザマルチ入力マルチ出力（ＳＵ−ＭＩＭＯ）伝送のスケジューリングをするためのチャネル品質インジケータ（ＣＱＩ）１１２に送信時間間隔（ＴＴＩ）５３８毎にアクセスする。基地局１０２は、シングルユーザマルチ入力マルチ出力（ＳＵ−ＭＩＭＯ）データ伝送のスケジューリングをするときにも最適なマルチ入力マルチ出力（ＭＩＭＯ）チャネル品質インジケータ（ＣＱＩ）１１２を用いることができる。送信時間間隔（ＴＴＩ）５３８が通常よりもせいぜい１回多いだけでどのチャネル品質インジケータ（ＣＱＩ）１１２も古くなってしまう。
【００８１】
ユーザ機器（ＵＥ）２０４を使用する方法の場合にはチャネル品質インジケータ（ＣＱＩ）１１２報告プロトコル（例えば、３ＧＰＰが確定した高速パケットアクセス規格）の変更を余儀なくされる。この変更には、ユーザ機器（ＵＥ）２０４のチャネル品質インジケータ（ＣＱＩ）１１２フィードバックアルゴリズムを設定する上位層のメッセージングの実行が含まれている。
【００８２】
図７は、ユーザ機器（ＵＥｓ）７７２ａ−ｂのチャネル品質インジケータ（ＣＱＩ）１１２フィードバックサイクルの例を示すタイミング図である。図７は、図６に例示した方法６００のタイミング図である。個々のボックスは、所与の送信時間間隔（ＴＴＩ）におけるチャネル品質インジケータ（ＣＱＩ）１１２報告を表している。既に述べたようにユーザ機器（ＵＥ）７７２は、ストリーム間干渉（ＩＳＩ）の調節が行われている最適なシングルストリームチャネル品質インジケータ（ＣＱＩｓ）１１２を（最適なリリース７のチャネル品質インジケータ（ＣＱＩ）１１２として述べた）最適なマルチ入力マルチ出力（ＭＩＭＯ）チャネル品質インジケータ（ＣＱＩ）１１２の間に織り交ぜるかも知れない。
【００８３】
ジオメトリの良くないユーザ機器（ＵＥ）７７２ａにとって最適なリリース７のチャネル品質インジケータ（ＣＱＩ）１１２は、往々にして送信時間間隔（ＴＴＩ）ｎ  ７７３ａおよび送信時間間隔（ＴＴＩ）ｎ＋２  ７７３ｃに使用するようなシングルストリームチャネル品質インジケータ（ＣＱＩ）１１２である。これに対して、ジオメトリの良いユーザ機器（ＵＥ）７７２ｂにとって最適なチャネル品質インジケータ（ＣＱＩ）１１２は、往々にして送信時間間隔（ＴＴＩ）ｎ  ７７４ａおよび送信時間間隔（ＴＴＩ）ｎ＋２  ７７４ｃに使用するようなデュアルストリームチャネル品質インジケータ（ＣＱＩ）１１２である。ある構成では（例えば、送信時間間隔（ＴＴＩ）ｎ＋６  ７７４ｄのチャネル品質インジケータ（ＣＱＩ）１１２）、ジオメトリの良いユーザ機器（ＵＥ）７７２ｂにとって最適なチャネル品質インジケータ（ＣＱＩ）１１２は、むしろシングルストリームチャネル品質インジケータ（ＣＱＩ）１１２である。
【００８４】
ジオメトリの良くないユーザ機器（ＵＥ）７７２ａまたはジオメトリの良いユーザ機器（ＵＥ）７７２ｂのどちらかに関して報告するチャネル品質インジケータ（ＣＱＩ）１１２は送信時間間隔（ＴＴＩ）を一つ置く度に変化することはない（例えば、ｎ、ｎ＋２、ｎ＋４、その他）。このような送信時間間隔（ＴＴＩｓ）相互の間にジオメトリの良くないユーザ機器（ＵＥ）７７２ａおよびジオメトリの良いユーザ機器（ＵＥ）７７２ｂはどちらも（例えば、送信時間間隔（ＴＴＩｓ）ｎ＋１、ｎ＋３、ｎ＋５、その他に関して）ストリーム間干渉（ＩＳＩ）が調節されている最適なシングルストリームチャネル品質インジケータ（ＣＱＩ）１１２、例えば、ジオメトリの良くないユーザ機器（ＵＥ）７７２ａの送信時間間隔（ＴＴＩ）ｎ＋１  ７７３ｂにおけるチャネル品質インジケータ（ＣＱＩ）１１２およびジオメトリの良いユーザ機器（ＵＥ）７７２ｂの送信時間間隔（ＴＴＩ）ｎ＋１  ７７４ｂにおけるチャネル品質インジケータ（ＣＱＩ）１１２の決定および送信をする。図７は、それに応じて１より大きいフィードバックサイクルに変化する。
【００８５】
図８は、このシステムおよび方法に用いられる基地局８０２のブロック図である。図８の基地局８０２は図１の基地局１０２の一構成である。基地局８０２は、第一送信チェーン８４６ａおよび第二送信チェーン８４６ｂを有している。第一送信チェーン８４６ａは第一データストリーム８１８ａに用いられ、第二送信チェーン８４６ｂは第二データストリーム８１８ｂに用いられる。
【００８６】
第一送信チェーン８４６ａには第一ベースバンド送信信号８４４ａが含まれている。第一ベースバンド送信信号８４４ａは、変調器８４７ａを用いて変調され、デジタルアナログ変換器（ＤＡＣ）８４８ａを用いてデジタル信号からアナログ信号に変換され、ミキサ８４９ａを用いて周波数変換され、増幅器８５０ａを用いて増幅され、第一アンテナ８５１ａを用いて第一データストリーム８１８ａとして最終的に送信される。同様に、第二送信チェーン８４６ｂには第二ベースバンド送信信号８４４ｂが含まれている。第二ベースバンド送信信号８４４ｂは、変調器８４７ｂを用いて変調され、デジタルアナログ変換器（ＤＡＣ）８４８ｂを用いてデジタル信号からアナログ信号に変換され、ミキサ８４９ｂを用いて周波数変換され、増幅器８５０ｂを用いて増幅され、第二アンテナ８５１ｂを用いて第二データストリーム８１８ｂとして最終的に送信される。上で論じたように、同じ直交可変拡散ファクタ（ＯＶＳＦ）コード２２６を用いて第一データストリーム８１８ａおよび第二データストリーム８１８ｂは同じ送信時間間隔（ＴＴＩ）の間に直交ビームで送信される。
【００８７】
図９は、このシステムおよび方法に用いられる無線通信装置９０４のブロック図である。図９の無線通信装置９０４は図１の無線通信装置１０４の一構成である。無線通信装置９０４には送信チェーン９４６が含まれている。送信チェーン９４６はデータストリーム９１８に用いられる。
【００８８】
送信チェーン９４６にはベースバンド送信信号９４４が含まれている。ベースバンド送信信号９４４は、変調器９４７を用いて変調され、デジタルアナログ変換器（ＤＡＣ）９４８を用いてデジタル信号からアナログ信号に変換され、ミキサ９４９を用いて周波数変換され、増幅器９５０を用いて増幅され、第二アンテナ９５１を用いてデータストリーム９１８として最終的に送信される。データストリーム９１８には、無線通信装置９０４が基地局１０２に送信する一つ以上のチャネル品質インジケータ（ＣＱＩｓ）が含まれる。
【００８９】
図１０は、マルチ入力マルチ出力（ＭＩＭＯ）システム１０００の送信機１０６９および受信機１０７０のブロック図である。送信機１０６９では、幾つかのデータストリームのトラフィックデータがデータソース１０５２から送信（ＴＸ）データプロセッサ１０５３に供給される。そして個々のデータストリームがそれぞれのアンテナ１０５６ａ−１０５６ｔから送信される。送信（ＴＸ）データプロセッサ１０５３はデータストリームのために選択された特定の符号化方式に基づいてデータストリーム毎にトラフィックデータのフォーマット化、符号化、インターリーブをして符号化されたデータを供給する。
【００９０】
データストリーム毎に符号化されたデータは、ＯＦＤＭ技術を用いてパイロットデータに多重化される。パイロットデータは、既知の方法で処理されてチャネル応答の推定に受信機１０７０で使用される既知のデータパターンである。ストリーム毎に多重化されているパイロットと符号化されたデータとは、データストリームに変調シンボルを供給するために選択した特定の変調方式（例えば、２相位相シフトキーイング、４相位相シフトキーイング、マルチ位相シフトキーイング（Ｍ−ＰＳＫ）、マルチレベル直交振幅変調（Ｍ−ＱＡＭ））にしたがって変調される（例えば、シンボルのマッピングが行われる）。各データストリームのためのデータレート、符号化、変調はプロセッサが実行する命令により決まる。
【００９１】
全データストリームのための変調シンボルは送信（ＴＸ）マルチ入力マルチ出力（ＭＩＭＯ）プロセッサ１０５４に供給される。ここで、変調シンボルが（例えば、ＯＦＤＭ用に）さらに処理される。送信（ＴＸ）マルチ入力マルチ出力（ＭＩＭＯ）プロセッサ１０５４はＮＴ変調シンボルストリームをＮＴ送信機（ＴＭＴＲ）１０５５ａ−１０５５ｔに供給する。送信（ＴＸ）マルチ入力マルチ出力（ＭＩＭＯ）プロセッサ１０５４はビームフォーミング重みをデータストリームのシンボルとアンテナ１０５６とに適用する。このアンテナからシンボルが送信される。
【００９２】
個々の送信機１０５５は個々のシンボルストリームの受信および処理をして一つ以上のアナログ信号を供給する。さらに、アナログ信号を調整して（例えば、増幅、フィルタリング、アップコンバートをして）ＭＩＭＯチャネルによる送信に最適な変調された信号を供給する。送信機１０５５ａ−１０５５ｔからのＮＴ変調済み信号はＮＴアンテナ１０５６a−１０５６tからそれぞれ送信される。
【００９３】
受信機１０７０では、送信された変調済み信号がＮＲアンテナ１０６１ａ−１０６１ｒにより受信される。個々のアンテナ１０６１からの受信信号は個々の受信機（ＲＣＶＲ）１０６２ａ−１０６２ｒに供給される。個々の受信機１０６２は、受信した個々の信号の調整をし（例えば、フィルタリングや増幅やダウンコンバートをして）、調整の済んだ信号をデジタル化してサンプルを供給し、サンプルをさらに処理して対応する「受信した」シンボルストリームを供給する。
【００９４】
ＲＸデータプロセッサ１０６３は、ＮＲ受信シンボルストリームをＮＲ受信機１０６２から受信し、特定の受信機処理技術に基づく処理をこれに施してＮＴ「検出」シンボルストリームを供給する。ＲＸデータプロセッサ１０６３は、個々の検出したシンボルストリームに復調、デインターリーブ、復号化の各処理を施してデータストリームのトラフィックデータを回復する。ＲＸデータプロセッサ１０６３による処理は送信機システム１０６９の側のＴＸ  ＭＩＭＯプロセッサ１０５４およびＴＸデータプロセッサ１０５３による処理の補足である。
【００９５】
プロセッサ１０６４は、どのプリコーディングマトリックスを使用するのかを周期的に決定する。プロセッサ１０６４は、メモリ１０６５に情報を格納し、メモリから情報を検索する。プロセッサ１０６４は、マトリックスのインデックス部分と順位値部分とから成る上りリンクメッセージを作成する。上りリンクメッセージは、チャネル状態情報（ＣＳＩ）としてこれに言及する。上りリンクメッセージは、通信リンクおよび受信したデータストリームの両者または一方に関する様々な種類の情報から成っている。上りリンクメッセージは、複数本のデータストリームのトラフィックデータをデータソース１０６８から受信するＴＸデータプロセッサ１０６７により処理され、変調器１０６６により変調され、送信機１０６２ａ−１０６２ｒにより調整され、送信機１０６９へと送信により戻される。
【００９６】
送信機１０６９では、受信機からの変調済み信号がアンテナ１０５６により受信され、受信機１０５５により調整され、復調器１０５８により復調され、ＲＸデータプロセッサ１０５９により処理されて受信機システム１０７０が送信した上りリンクメッセージを抽出する。プロセッサ１０６０は、ＲＸデータプロセッサ１０５９からチャネル状態情報（ＣＳＩ）を受信する。プロセッサ１０６０は、メモリ１０５７に情報を格納し、メモリ１０５７から情報を検索する。プロセッサ１０６０は、どのプリコーディングマトリックスを用いてビームフォーミング重みを決定するのか決定して抽出したメッセージを処理する。
【００９７】
図１１は、ユニバーサルモバイル通信システム（ＵＭＴＳ）規格にしたがって作動する無線ネットワーク１１００を例示するブロック図である。無線ネットワーク１１００はＵＭＴＳ地上無線アクセスネットワーク（ＵＴＲＡＮ）である。ＵＭＴＳ地上無線アクセスネットワーク（ＵＴＲＡＮ）は、ノードＢ１１０２ａ−ｄと、これらのノードＢ１１０２ａ−ｄの制御設備（すなわち、無線ネットワークコントローラ（ＲＮＣｓ）１１７５ａ）との集合的な用語であり、ＵＭＴＳ無線アクセスネットワーク（ＲＡＮ）１１７４を構成している。これは、実時間回線交換型とＩＰベースのパケット交換トラフィック型の両者を保持している第三世代通信ネットワークである。ＵＴＲＡＮは、ユーザ機器（ＵＥ）１１０４にエアインターフェースアクセス方法を提供する。ユーザ機器（ＵＥ）１１０４とコアネットワーク１１７１との間にはＵＴＲＡＮにより連結性が提供される。無線アクセスネットワーク（ＲＡＮ）１１７４は複数台のユーザ機器（ＵＥ）１１０４の間でデータパケットの送信を実現する。
【００９８】
ＵＴＲＡＮは、Ｉｕインターフェース１１７２ａ−ｂ、Ｕｕインターフェース１１７８、Ｉｕｂインターフェース１１７７ａ−ｄ、Ｉｕｒインターフェース１１７６の四種類のインターフェースにより他の機能的なエンティティに内部的および外部的に接続される。ＵＴＲＡＮは、Ｉｕインターフェース１１７２と呼ばれる外部インターフェースにより移動通信のためのグローバルシステム（ＧＳＭ）コアネットワーク１１７１に接続される。無線ネットワークコントローラ（ＲＮＣｓ）１１７５ａ−ｂは、Ｉｕｂインターフェース１１７７ａ−ｄと呼ばれるインターフェースによりノードＢ１１０２ａ−ｄと呼ばれる基地局一式を管理する。無線ネットワークコントローラ（ＲＮＣ）１１７５と管理されるノードＢｓ１１０２は無線ネットワークサブシステム（ＲＮＳ）１１７３ａ−ｂを構成する。Ｉｕｒインターフェース１１７６は第一無線ネットワークコントローラ（ＲＮＣ）１１７５ａと第二無線ネットワークコントローラ（ＲＮＣ）１１７５ｂとを互いに接続する。無線ネットワークコントローラ（ＲＮＣｓ）１１７５ａ−ｂは、Ｉｕｒインターフェース１１７６により相互に連結されているので大部分のＵＴＲＡＮはコアネットワーク１１７１から独立している。図１１は、無線ネットワークコントローラ（ＲＮＣ）１１７５、ノードＢ１１０２ａ−ｄ、Ｉｕｂインターフェース１１７２、Ｕｕインターフェース１１７８を用いた通信システムを開示している。Ｕｕインターフェース１１７８も外部であり、ノードＢ１１０２をユーザ機器（ＵＥ）１１０４に接続する。一方、Ｉｕｂインターフェース１１７７は無線ネットワークコントローラ（ＲＮＣｓ）１１７５をノードＢ１１０２に接続する内部インターフェースである。
【００９９】
無線ネットワーク１１００は、企業内イントラネット、インターネット、前述した従来の公衆電話交換網などのような無線ネットワーク１１００の外部の様々なネットワークにさらに接続されて個々のユーザ機器（ＵＥ）１１０４と外部ネットワークとの間でデータパケットを移送する。
【０１００】
図１２は、ユーザ機器（ＵＥ）１２０４とノードＢ１２０２と無線ネットワークコントローラ（ＲＮＣ）１２７５との間の無線通信ネットワーク１２００内における通信を例示するブロック図である。図１２のユーザ機器（ＵＥ）１２０４は図２のユーザ機器（ＵＥ）２０４の一構成である。図１２のノードＢ１２０２は図２のノードＢ２０２の一構成である。図１２の無線ネットワークコントローラ（ＲＮＣ）１２７５は図１１の無線ネットワークコントローラ（ＲＮＣ）１１７５の一構成である。無線通信ネットワーク１２００は高速パケットアクセス（ＨＳＰＡ）を用いて作動する。ノードＢ１２０２およびユーザ機器（ＵＥ）１２０４はマルチユーザマルチ入力マルチ出力（ＭＵ−ＭＩＭＯ）機能が可能である。ユーザ機器（ＵＥ）１２０４と無線ネットワークコントローラ（ＲＮＣ）１２７５とはレイヤ３メッセージを使用してノードＢ１２０２を介して互いに通信することができる。レイヤ３メッセージは、無線リソース制御（ＲＲＣ：Radio Resource Control）メッセージと呼ばれることもある。レイヤ３メッセージは、ＵＴＲＡＮとユーザ機器（ＵＥ）１２０４との間を通過して、ユーザ機器（ＵＥ）１２０４とＵＴＲＡＮとの間の無線リソース制御（ＲＲＣ）接続の設定および制御に用いられる。レイヤ３メッセージは、接続管理、制御、モビリティ、測定の各メッセージを扱う。
【０１０１】
既に指摘したようにノードＢ１２０２は、Ｕｕインターフェース１１７８を介してユーザ機器（ＵＥ）１２０４と通信をする。ノードＢ１２０２は、Ｉｕｂインターフェース１１７７を介して無線ネットワークコントローラ（ＲＮＣ）１２７５と通信をする。ノードＢ１２０２、無線ネットワークコントローラ（ＲＮＣ）１２７５、ユーザ機器（ＵＥ）１２０４はいずれも規格にしたがって作動するが、マルチユーザマルチ入力マルチ出力（ＭＵ−ＭＩＭＯ）機能に関連したシグナリングを可能にするには規格を僅かに変更する必要がある。
【０１０２】
ユーザ機器（ＵＥ）１２０４は、マルチユーザマルチ入力マルチ出力（ＭＵ−ＭＩＭＯ）機能を有していることを無線ネットワークコントローラ（ＲＮＣ）１２７５に通知する。ある構成ではユーザ機器（ＵＥ）１２０４は、無線リソース制御（ＲＲＣ）メッセージ１２７９を無線ネットワークコントローラ（ＲＮＣ）１２７５にノードＢ１２０２を介して送信する。無線リソース制御（ＲＲＣ）メッセージ１２７９はユーザ機器（ＵＥ）１２０４がマルチユーザマルチ入力マルチ出力（ＭＵ−ＭＩＭＯ）機能１２８０を有していることを表示する。別の構成ではユーザ機器（ＵＥ）１２０４は、ユーザ機器（ＵＥ）１２０４がマルチユーザマルチ入力マルチ出力（ＭＵ−ＭＩＭＯ）機能を有している指定されたカテゴリ１２８１に属していることを示すメッセージを無線ネットワークコントローラ（ＲＮＣ）１２７５にノードＢ１２０２を介して送信する。言い換えればユーザ機器（ＵＥ）１２０４は、マルチユーザマルチ入力マルチ出力（ＭＵ−ＭＩＭＯ）機能を有しているものとして定義されているカテゴリに属していることを通知する。
【０１０３】
無線ネットワークコントローラ（ＲＮＣ）１２７５は、ノードＢ１２０２を介してユーザ機器（ＵＥ）１２０４に設定メッセージを送信する。例えば、無線ネットワークコントローラ（ＲＮＣ）１２７５は、ノードＢ１２０２を介して無線リソース制御（ＲＲＣ）メッセージ１２８２をユーザ機器（ＵＥ）１２０４に送信する。無線リソース制御（ＲＲＣ）メッセージ１２８２には、ユーザ機器（ＵＥ）のマルチユーザマルチ入力マルチ出力（ＭＵ−ＭＩＭＯ）機能を設定するための指示１２８３がユーザ機器（ＵＥ）１２０４のために含まれている。ユーザ機器（ＵＥ）のマルチユーザマルチ入力マルチ出力（ＭＵ−ＭＩＭＯ）機能を設定するための指示１２８３はユーザ機器（ＵＥ）１２０４がマルチユーザマルチ入力マルチ出力（ＭＵ−ＭＩＭＯ）機能をサポートするために必要である。
【０１０４】
ユーザ機器（ＵＥ）のマルチユーザマルチ入力マルチ出力（ＭＵ−ＭＩＭＯ）機能を設定するための指示１２８３にはチャネル品質インジケータ（ＣＱＩ）報告設定の指示１２８４が含まれている。チャネル品質インジケータ（ＣＱＩ）報告設定の指示１２８４には、（図６を参照して先に説明したように）ユーザ機器（ＵＥ）１２０４が報告するチャネル品質インジケータ（ＣＱＩ）を変更することが含まれている。ユーザ機器（ＵＥ）のマルチユーザマルチ入力マルチ出力（ＭＵ−ＭＩＭＯ）機能を設定するための指示１２８３には高速共用制御チャネル（ＨＳ−ＳＣＣＨ）フィールド再解釈１２８５も含まれている。高速共用制御チャネル（ＨＳ−ＳＣＣＨ）フィールド再解釈１２８５は高速共用制御チャネル（ＨＳ−ＳＣＣＨ）フィールドにこれまでの解釈とは異なる別の解釈をどのようにして施したら良いのかをユーザ機器（ＵＥ）１２０４に指示する。ユーザ機器（ＵＥ）１２０４は無線リソース制御（ＲＲＣ）メッセージ１２８２の情報を使用してマルチユーザマルチ入力マルチ出力（ＭＵ−ＭＩＭＯ）機能の設定を調節する。
【０１０５】
図１３は、ユーザ機器（ＵＥ）のマルチユーザマルチ入力マルチ出力（ＭＵ−ＭＩＭＯ）機能１２８０のシグナリングをユーザ機器（ＵＥ）１２０４から無線ネットワークコントローラ（ＲＮＣ）１２７５に向かって行う方法１３００の流れ図である。この方法１３００はユーザ機器（ＵＥ）１２０４が実行する。ユーザ機器（ＵＥ）１２０４は、マルチユーザマルチ入力マルチ出力（ＭＵ−ＭＩＭＯ）機能１２８０をユーザ機器（ＵＥ）が有している旨の判断１３０２をする。ユーザ機器（ＵＥ）が有しているマルチユーザマルチ入力マルチ出力（ＭＵ−ＭＩＭＯ）機能の例には、無線ネットワークコントローラ（ＲＮＣ）１１７５の要請に応じてチャネル品質インジケータ（ＣＱＩ）１１２フィードバックを設定する機能や無線ネットワークコントローラ（ＲＮＣ）１１７５の要請に応じて高速共用制御チャネル（ＨＳ−ＳＣＣＨ）のフィールドを再解釈する機能が含まれる。マルチユーザマルチ入力マルチ出力（ＭＵ−ＭＩＭＯ）機能を有するユーザ機器（ＵＥ）１２０４にはこれらの機能はいずれも必要である。
【０１０６】
ユーザ機器（ＵＥ）１２０４がマルチユーザマルチ入力マルチ出力（ＭＵ−ＭＩＭＯ）機能１２８０を有していることを示す無線リソース制御（ＲＲＣ）メッセージ１２７９の生成１３０４をユーザ機器（ＵＥ）１２０４が行う。ユーザ機器（ＵＥ）１２０４は、無線リソース制御（ＲＲＣ）メッセージ１２７９のノードＢ１２０２への送信１３０６を次に行う。ノードＢ１２０２は無線ネットワークコントローラ（ＲＮＣ）１２７５に当該メッセージを転送する。
【０１０７】
図１４は、マルチユーザマルチ入力マルチ出力（ＭＵ−ＭＩＭＯ）機能をサポートするために必要なマルチユーザマルチ入力マルチ出力（ＭＵ−ＭＩＭＯ）機能をユーザ機器（ＵＥ）に設定するための指示１２８３をネットワークからユーザ機器（ＵＥ）１２０４にシグナリングする方法１４００の流れ図である。この方法１４００は、無線ネットワークコントローラ（ＲＮＣ）１２７５が実行する。無線ネットワークコントローラ（ＲＮＣ）１２７５は、マルチユーザマルチ入力マルチ出力（ＭＵ−ＭＩＭＯ）機能をサポートするためにはマルチユーザマルチ入力マルチ出力（ＭＵ−ＭＩＭＯ）機能をユーザ機器（ＵＥ）に設定する必要があるのかどうかの判断１４０２をする。無線ネットワークコントローラ（ＲＮＣ）１２７５は、マルチユーザマルチ入力マルチ出力（ＭＵ−ＭＩＭＯ）機能をユーザ機器（ＵＥ）に設定するための指示１２８３を含む無線リソース制御（ＲＲＣ）メッセージ１２８２の生成１４０４をする。無線ネットワークコントローラ（ＲＮＣ）１２７５は、無線リソース制御（ＲＲＣ）メッセージ１２８２のノードＢ１２０２への送信１４０６をする。ノードＢ１２０２はこのメッセージをユーザ機器（ＵＥ）１２０４に転送する。図１２との関連で先に説明したように、無線リソース制御（ＲＲＣ）メッセージ１２８２には、チャネル品質インジケータ（ＣＱＩ）報告設定の指示１２８４がユーザ機器（ＵＥ）のために変更されたことおよび高速共用制御チャネル（ＨＳ−ＳＣＣＨ）のフィールド再解釈１２８５がユーザ機器（ＵＥ）１２０４のために変更されたことも含まれる。
【０１０８】
図１５は、無線通信ネットワーク１５００におけるノードＢ１５０２と無線ネットワークコントローラ（ＲＮＣ）１５７５との間の通信の例を示すブロック図である。図１５のノードＢ１５０２は図２のノードＢ２０２の一構成である。図１５の無線ネットワークコントローラ（ＲＮＣ）１５７５は図１１の無線ネットワークコントローラ（ＲＮＣ）１１７５の一構成である。無線通信ネットワーク１５００は高速パケットアクセス（ＨＳＰＡ）を用いて作動する。ノードＢ１５０２はマルチユーザマルチ入力マルチ出力（ＭＵ−ＭＩＭＯ）機能を有している。ノードＢ１５０２と無線ネットワークコントローラ（ＲＮＣ）１５７５との間の通信はＩｕｂインターフェース１１７７（例えば、レイヤ）により行われる。
【０１０９】
ノードＢ１５０２は、マルチユーザマルチ入力マルチ出力（ＭＵ−ＭＩＭＯ）スケジューリング機能１５８６をノードＢが有している旨のメッセージを無線ネットワークコントローラ（ＲＮＣ）１５７５に送信する。例えば、マルチユーザマルチ入力マルチ出力（ＭＵ−ＭＩＭＯ）パケットのスケジューリング機能をノードＢ１５０２が有していることをこのメッセージは表示する。
【０１１０】
無線ネットワークコントローラ（ＲＮＣ）１５７５は、ノードＢ１５０２によるサービスを受けているユーザ機器（ＵＥ）１１０４に関する情報を有することができる。例えば、無線ネットワークコントローラ（ＲＮＣ）１５７５は、ノードＢ１５０２によるサービスを受けている各ユーザ機器（ＵＥ）１５８７のマルチユーザマルチ入力マルチ出力（ＭＵ−ＭＩＭＯ）に関する機能および設定を知ることができる。無線ネットワークコントローラ（ＲＮＣ）１５７５は、ユーザ機器（ＵＥｓ）１５８７のマルチユーザマルチ入力マルチ出力（ＭＵ−ＭＩＭＯ）に関する機能や設定をノードＢ１５０２にメッセージで送信する。ある構成では、高速共用制御チャネル（ＨＳ−ＳＣＣＨ）フィールドの符号化１５８８ａ−ｂをノードＢ１５０２で変更しなければならないこともメッセージは示す。（なぜなら、高速共用制御チャネル（ＨＳ−ＳＣＣＨ）のフィールドの中にはユーザ機器（ＵＥ）１１０４が別様に解釈しなければならないものがあるからである。）
図１６は、マルチユーザマルチ入力マルチ出力（ＭＵ−ＭＩＭＯ）に関するユーザ機器１５８７の機能および設定を無線ネットワークコントローラ（ＲＮＣ）からノードＢにシグナリングする方法１６００の流れ図である。無線ネットワークコントローラ（ＲＮＣ）１５７５が方法１６００を実行する。無線ネットワークコントローラ（ＲＮＣ）１５７５とノードＢ１５０２との通信はＩｕｂインターフェース１１７７により行われる。
【０１１１】
無線ネットワークコントローラ（ＲＮＣ）１５７５は、マルチユーザマルチ入力マルチ出力（ＭＵ−ＭＩＭＯ）に関するユーザ機器（ＵＥ）１５８７の機能および設定の判断１６０２をする。ある構成では、マルチユーザマルチ入力マルチ出力（ＭＵ−ＭＩＭＯ）に関するユーザ機器（ＵＥ）１５８７の機能および設定を無線ネットワークコントローラ（ＲＮＣ）１５７５が判断する。無線ネットワークコントローラ（ＲＮＣ）１５７５は、マルチユーザマルチ入力マルチ出力（ＭＵ−ＭＩＭＯ）に関するユーザ機器（ＵＥ）１５８７の機能および設定を含むメッセージの生成１６０４をする。無線ネットワークコントローラ（ＲＮＣ）１５７５は、Ｉｕｂインターフェース１１７７により当該メッセージのノードＢ１５０２への送信１６０６をする。
【０１１２】
図１７は、ノードＢのマルチユーザマルチ入力マルチ出力（ＭＵ−ＭＩＭＯ）スケジューリング機能を無線ネットワークコントローラ（ＲＮＣ）にシグナリングする方法１７００の流れ図である。この方法１７００はノードＢ１５０２が実行する。ノードＢ１５０２と無線ネットワークコントローラ（ＲＮＣ）１５７５との通信はＩｕｂインターフェース１１７７により行われる。
【０１１３】
ノードＢ１５０２は、ノードＢのマルチユーザマルチ入力マルチ出力（ＭＵ−ＭＩＭＯ）スケジューリング機能１５８６の決定１７０２を伝送のために行う。例えば、ノードＢ１５０２は、マルチユーザマルチ入力マルチ出力（ＭＵ−ＭＩＭＯ）伝送を何回スケジューリングすることができるのか、マルチユーザマルチ入力マルチ出力（ＭＵ−ＭＩＭＯ）伝送に利用可能な電力、ノードＢ１５０２の現在の負荷を決定する。ノードＢ１５０２は、ノードＢのマルチユーザマルチ入力マルチ出力（ＭＵ−ＭＩＭＯ）スケジューリング機能１５８６を含むメッセージの生成１７０４を伝送のために行う。ノードＢ１５０２は、無線ネットワークコントローラ（ＲＮＣ）１５７５への当該メッセージの送信１７０６をＩｕｂインターフェース１１７７により行う。
【０１１４】
図１８は、無線通信ネットワーク１８００においてノードＢ１８０２からユーザ機器（ＵＥ）１８０４に高速共用制御チャネル（ＨＳ−ＳＣＣＨ）命令１８８９を伝送する例を示すブロック図である。図１８のユーザ機器（ＵＥ）１８０４は図２のユーザ機器（ＵＥ）２０４の一構成である。図１８のノードＢ１８０２は図２のノードＢ２０２の一構成である。無線通信ネットワーク１８００は高速パケットアクセス（ＨＳＰＡ）を用いて作動する。ノードＢ１８０２およびユーザ機器（ＵＥ）１８０４はどちらもマルチユーザマルチ入力マルチ出力（ＭＵ−ＭＩＭＯ）機能を有している。高速共用制御チャネル（ＨＳ−ＳＣＣＨ）は、高速下り共用チャネル（ＨＳ−ＤＳＣＨ）伝送に関連しているダウンリンクシグナリング情報を搬送するダウンリンク物理チャネルである。ノードＢ１８０２は高速共用制御チャネル（ＨＳ−ＳＣＣＨ）命令１８８９をＬ１／ＰＨＹシグナリングコマンドとしてユーザ機器（ＵＥ）１８０４に送信することによりアップリンク間欠送信（ＵＬ−ＤＴＸ：uplink discontinuous transmission）およびダウンリンク間欠受信（ＤＬ−ＤＲＸ：downlink discontinuous receiving）の両方または一方を起動させたり停止させたりする。
【０１１５】
高速共用制御チャネル（ＨＳ−ＳＣＣＨ）命令１８８９にはマルチユーザマルチ入力マルチ出力（ＭＵ−ＭＩＭＯ）機能起動停止コマンド１８９０が含まれている。マルチユーザマルチ入力マルチ出力（ＭＵ−ＭＩＭＯ）機能起動停止コマンド１８９０はユーザ機器（ＵＥ）１８０４のマルチユーザマルチ入力マルチ出力（ＭＵ−ＭＩＭＯ）機能を起動させたり停止させたりする。マルチユーザマルチ入力マルチ出力（ＭＵ−ＭＩＭＯ）機能がかなり有利ではない場合もある（例えば、二台のユーザ機器（ＵＥｓ）１０８４だけにサービスを提供している場合）。マルチユーザマルチ入力マルチ出力（ＭＵ−ＭＩＭＯ）機能が特に有利な場合もある（例えば、複数台のユーザ機器（ＵＥｓ）１０８４が大量のトラフィックを要求している場合）。
【０１１６】
高速共用制御チャネル（ＨＳ−ＳＣＣＨ）命令１８８９にはチャネル品質インジケータ（ＣＱＩ）報告変更１８９１も含まれている。ユーザ機器（ＵＥ）１８０４はチャネル品質インジケータ（ＣＱＩ）の報告を変更するように指示される。高速共用制御チャネル（ＨＳ−ＳＣＣＨ）命令１８８９には高速共用制御チャネル（ＨＳ−ＳＣＣＨ）フィールド解釈の変更１８９２がさらに含まれている。ユーザ機器（ＵＥ）１８０４は、高速共用制御チャネル（ＨＳ−ＳＣＣＨ）命令１８８９を受信するとマルチユーザマルチ入力マルチ出力（ＭＵ−ＭＩＭＯ）機能の起動や停止、チャネル品質インジケータ（ＣＱＩ）報告変更１８９１の適用、高速共用制御チャネル（ＨＳ−ＳＣＣＨ）フィールド解釈の変更１８９２の適用の全てまたはいずれかを実行する。
【０１１７】
図１９は、高速共用制御チャネル（ＨＳ−ＳＣＣＨ）命令１８８９をユーザ機器（ＵＥ）１８０４に送信する方法１９００の流れ図である。方法１９００はノードＢ１８０２が実行する。ノードＢ１８０２は、ユーザ機器（ＵＥ）１８０４のマルチユーザマルチ入力マルチ出力（ＭＵ−ＭＩＭＯ）機能の起動や停止の決定１９０２をする。ある構成ではノードＢ１８０２が、ユーザ機器（ＵＥ）１８０４のチャネル品質インジケータ（ＣＱＩ）報告設定の変更をさらに決定する。さらに別の構成ではノードＢ１８０２が、ユーザ機器（ＵＥ）１８０４の高速共用制御チャネル（ＨＳ−ＳＣＣＨ）フィールド解釈の変更を決定する。
【０１１８】
ノードＢ１８０２は、高速共用制御チャネル（ＨＳ−ＳＣＣＨ）命令１８８９の生成１９０４をする。先に述べたように、高速共用制御チャネル（ＨＳ−ＳＣＣＨ）命令１８８９には、マルチユーザマルチ入力マルチ出力（ＭＵ−ＭＩＭＯ）機能起動停止コマンド１８９０、チャネル品質インジケータ（ＣＱＩ）報告変更１８９１、高速共用制御チャネル（ＨＳ−ＳＣＣＨ）フィールド解釈の変更１８９２の全てまたはいずれかが含まれている。ノードＢ１８０２は、高速共用制御チャネル（ＨＳ−ＳＣＣＨ）命令１８８９のユーザ機器（ＵＥ）１８０４への送信１９０６をする。
【０１１９】
図２０は、無線通信ネットワーク２０００において送信時間間隔（ＴＴＩ）２０９３ａ−ｎ毎にノードＢ２００２からユーザ機器（ＵＥ）２００４に送信されるマルチユーザマルチ入力マルチ出力（ＭＵ−ＭＩＭＯ）スケジューリング２０９４ａ−ｎの例を示すブロック図である。図２０のユーザ機器（ＵＥ）２００４は図２のユーザ機器（ＵＥ）２０４の一構成である。図２０のノードＢ２００２は図２のノードＢ２０２の一構成である。無線通信ネットワーク２０００は高速パケットアクセス（ＨＳＰＡ）を用いて作動する。ノードＢ２００２およびユーザ機器（ＵＥ）２００４はどちらもマルチユーザマルチ入力マルチ出力（ＭＵ−ＭＩＭＯ）機能を備えている。ノードＢ２００２は、マルチユーザマルチ入力マルチ出力（ＭＵ−ＭＩＭＯ）スケジューリング２０９４に関してユーザ機器（ＵＥ）２００４をシグナリングする。このシグナリングは、送信時間間隔（ＴＴＩ）２０９３毎にシグナリングが生じない「長期（long-term）」であることがある。例えば、あるユーザ機器（ＵＥ）２００４では送信時間間隔（ＴＴＩ）２０９３毎のそのようなシグナリングは不要である。
【０１２０】
しかし、マルチユーザマルチ入力マルチ出力（ＭＵ−ＭＩＭＯ）スケジューリング２０９４をユーザ機器（ＵＥ）２００４が送信時間間隔（ＴＴＩ）２０９３毎に必要としている場合がある。例えばノードＢ２００２は、マルチユーザマルチ入力マルチ出力（ＭＵ−ＭＩＭＯ）スケジューリング２０９４情報（例えば、マルチユーザマルチ入力マルチ出力（ＭＵ−ＭＩＭＯ）伝送を特定の送信時間間隔（ＴＴＩ）２０９３で使用するかどうか）を送信時間間隔（ＴＴＩ）２０９３毎にユーザ機器（ＵＥ）２００４に送信することがある。これは幾つかの方法で達成される。第一の選択肢では、共通高速ダウンリンク共用チャネル−無線ネットワーク一時識別子（Ｈ−ＲＮＴＩ：common High Speed Downlink Shared Channel - Radio Network Temporary Identifier）に基づいて高速共用制御チャネル（ＨＳ−ＳＣＣＨ）が設定される。共通高速ダウンリンク共用チャネル−無線ネットワーク一時識別子（Ｈ−ＲＮＴＩ）はセル内の全ユーザ機器（ＵＥｓ）２００４により復号化される。したがって、マルチユーザマルチ入力マルチ出力（ＭＵ−ＭＩＭＯ）スケジューリング２０９４情報が共通高速ダウンリンク共用チャネル−無線ネットワーク一時識別子（Ｈ−ＲＮＴＩ）に基づく高速共用制御チャネル（ＨＳ−ＳＣＣＨ）を介して送信される。
【０１２１】
第二の選択肢では、ノードＢ２００２が高速共用制御チャネル（ＨＳ−ＳＣＣＨ）の一定のフィールドによりマルチユーザマルチ入力マルチ出力（ＭＵ−ＭＩＭＯ）伝送をシグナリングする。例えば、チャネル化コードセットの一定のビットをこの目的に使用することができる。ユーザ機器（ＵＥ）２００４は、（本来ならば別様に解釈される）ビットを解釈し直してマルチユーザマルチ入力マルチ出力（ＭＵ−ＭＩＭＯ）スケジューリングがこの特定の送信時間間隔（ＴＴＩ）２０９３で生じていると判断する。他方では、ノードＢ２００２は高速共用制御チャネル（ＨＳ−ＳＣＣＨ）の二次トランスポートブロックサイズを１１１１１１に設定する。これに対応する冗長バージョンフィールドが０に設定される。ユーザ機器（ＵＥ）２００４は（本来ならば別様に解釈される）ビットを解釈し直してマルチユーザマルチ入力マルチ出力（ＭＵ−ＭＩＭＯ）伝送がこの特定の送信時間間隔（ＴＴＩ）２０９３で指定されていると判断する。
【０１２２】
ユーザ機器（ＵＥ）２００４がリリース７対応または伝送アンテナアレイ（ＴｘＡＡ）対応である場合には、マルチユーザマルチ入力マルチ出力（ＭＵ−ＭＩＭＯ）スケジューリング２０９４のために別の種々の選択肢を用いることができる。（ユーザ機器（ＵＥ）２００４がリリース７やＴｘＡＡ対応である場合の）一つの選択肢では、高速共用制御チャネル（ＨＳ−ＳＣＣＨ）の幾つかのトランスポートブロックと変調方式との概して用いられていない組合せをノードＢ２００２が用いてマルチユーザマルチ入力マルチ出力（ＭＵ−ＭＩＭＯ）スケジューリング２０９４を送信時間間隔（ＴＴＩ）２０９３毎にユーザ機器（ＵＥ）２００４に伝送する。伝送アンテナアレイ（ＴｘＡＡ）対応であるユーザ機器（ＵＥ）２００４に対しては、ノードＢ２００２は、高速共用制御チャネル（ＨＳ−ＳＣＣＨ）におけるハイブリッド自動再送要求（ＨＡＲＱ：Hybrid Automatic Repeat Request）処理識別（ＩＤ）の一ビットを使用してマルチユーザマルチ入力マルチ出力（ＭＵ−ＭＩＭＯ）スケジューリング２０９４情報を送信時間間隔（ＴＴＩ）２０９３毎にユーザ機器（ＵＥ）２００４に伝送する。
【０１２３】
図２１は、基地局２１０２が備えている可能性のあるコンポーネントを示す図である。基地局は、アクセスポイント、放送送信機、ノードＢ、進化したノードＢ、その他のそれぞれの機能の幾つかまたは全てを有していることもあり、アクセスポイント、放送送信機、ノードＢ、進化したノードＢ、その他と呼ばれることがある。基地局２１０２はプロセッサ２１０３を有している。プロセッサ２１０３は、シングルチップまたはマルチチップの汎用マイクロプロセッサ（例えば、ＡＲＭ）、専用マイクロプロセッサ（例えば、デジタル信号プロセッサ（ＤＳＰ））、マイクロコントローラ、プログラム可能なゲートアレイ、その他で構わない。プロセッサ２１０３は中央処理装置（ＣＰＵ）と呼ばれることもある。図２１の基地局２１０２には一台のプロセッサ２１０３だけしか示されていないが、プロセッサの組合せ（例えば、ＡＲＭとＤＳＰ）を用いた構成にしても構わない。
【０１２４】
基地局２１０２はメモリ２１０５も備えている。メモリ２１０５は、電子情報を格納することのできる電子コンポーネントである。メモリ２１０５は、ランダムアクセス記憶装置（ＲＡＭ）、読取り専用記憶装置（ＲＯＭ）、磁気ディスク記憶装置、光学式記憶装置、ＲＡＭのフラッシュメモリ装置、プロセッサと一緒に基板に実装されている記憶装置、ＥＰＲＯＭ記憶装置、ＥＥＰＲＯＭ記憶装置、レジスタ、その他およびこれらの組み合わせで具体化することができる。
【０１２５】
データ２１０７ａおよび命令２１０９ａはメモリ２１０５に格納しても構わない。命令２１０９ａがプロセッサ２１０３により実行されて、ここに記載した方法が実現される。命令２１０９ａの実行は、メモリ２１０５に格納されているデータ２１０７ａの使用を伴う。プロセッサ２１０３が命令２１０９ａを実行する際には、命令２１０９ｂの様々な部分がプロセッサ２１０３にロードされ、データ２１０７ｂの様々な部分がプロセッサ２１０３にロードされる。
【０１２６】
基地局２１０２は、送信機２１１１および受信機２１１３も備えていて、基地局２１０２が信号の送受信を行えるようになっている。送信機２１１１および受信機２１１３は一括してトランシーバ２１１５と呼ばれることがある。複数本のアンテナ２１１７ａ−ｂはトランシーバ２１１５に電気的に繋がれている。基地局２１０２は、複数台の送信機、複数台の受信機、複数台のトランシーバ、付加的なアンテナの全てまたはいずれかを（図示していないが）有していることがある。
【０１２７】
基地局２１０２はデジタル信号プロセッサ（ＤＳＰ）２１２１を具備している。基地局２１０２は通信インターフェース２１２３も備えている。通信インターフェース２１２３によりユーザは基地局２１０２との相互作用が可能になる。
【０１２８】
基地局２１０２の様々なコンポーネントが一本以上のバスで互いに連結されている。バスには、電力バス、制御信号バス、状態信号バス、データバス、その他が含まれる。明瞭にするために様々なバスがバスシステム２１１９として図２１に示されている。
【０１２９】
図２２は、無線通信装置２２０４が具備している可能性のあるコンポーネントを例示している図である。無線通信装置２２０４はアクセス端末、移動局、ユーザ機器（ＵＥ）、その他で構わない。無線通信装置２２０４はプロセッサ２２０３を具備している。プロセッサ２２０３は、シングルチップまたはマルチチップの汎用マイクロプロセッサ（例えば、ＡＲＭ）、専用マイクロプロセッサ（例えば、デジタル信号プロセッサ（ＤＳＰ））、マイクロコントローラ、プログラム可能なゲートアレイ、その他で構わない。プロセッサ２２０３は中央処理装置（ＣＰＵ）と呼ばれることもある。図２２の無線通信装置２２０４には一台のプロセッサ２２０３だけしか示されていないが、プロセッサの組合せ（例えば、ＡＲＭとＤＳＰ）を用いた構成にしても構わない。
【０１３０】
無線通信装置２２０４はメモリ２２０５も備えている。メモリ２２０５は、電子情報を格納することのできる電子コンポーネントである。メモリ２２０５は、ランダムアクセス記憶装置（ＲＡＭ）、読取り専用記憶装置（ＲＯＭ）、磁気ディスク記憶媒体、光学式記憶媒体、ＲＡＭのフラッシュメモリ装置、プロセッサと一緒に基板に実装されている記憶装置、ＥＰＲＯＭ記憶装置、ＥＥＰＲＯＭ記憶装置、レジスタ、その他およびこれらの組み合わせで具体化することができる。
【０１３１】
データ２２０７ａおよび命令２２０９ａはメモリ２１０５に格納しても構わない。命令２２０９ａがプロセッサ２２０３により実行されて、ここに記載した方法が実現される。命令２２０９ａの実行は、メモリ２２０５に格納されているデータ２２０７ａの使用を伴う。プロセッサ２２０３が命令２２０９ａを実行する際には、命令２２０９ｂの様々な部分がプロセッサ２２０３にロードされ、データ２２０７ｂの様々な部分がプロセッサ２２０３にロードされる。
【０１３２】
無線通信装置２２０４は、送信機２２１１および受信機２２１３も備えていて、無線通信装置２２０４が信号の送受信を行えるようになっている。送信機２２１１および受信機２２１３は一括してトランシーバ２２１５と呼ばれることがある。複数本のアンテナ２２１７ａ−ｂはトランシーバ２２１５に電気的に繋がれている。無線通信装置２２０４は、複数台の送信機、複数台の受信機、複数台のトランシーバ、付加的なアンテナの全てまたはいずれかを（図示していないが）有していることがある。
【０１３３】
無線通信装置２２０４はデジタル信号プロセッサ（ＤＳＰ）２２２１を具備している。無線通信装置２２０４は通信インターフェース２２２３も備えている。通信インターフェース２２２３によりユーザは無線通信装置２２０４との相互作用が可能になる。
【０１３４】
無線通信装置２２０４の様々なコンポーネントが一本以上のバスで互いに連結されている。バスには、電力バス、制御信号バス、状態信号バス、データバス、その他が含まれる。明瞭にするために様々なバスがバスシステム２２１９として図２２に示されている。
【０１３５】
図２３は、無線ネットワークコントローラ（ＲＮＣ）２３７５が具備している可能性のある幾つかのコンポーネントを例示している図である。無線ネットワークコントローラ（ＲＮＣ）２３７５は、ＵＭＴＳ無線アクセスネットワーク（ＵＴＲＡＮ）における管理要素であり、無線ネットワークコントローラに接続されている基地局２１０２（すなわちノードＢ１１０２）の制御を担っている。無線ネットワークコントローラ（ＲＮＣ）２３７５はメディアゲートウェイにより回線交換コアネットワークに接続されている。無線ネットワークコントローラ（ＲＮＣ）２３７５はプロセッサ２３０３を具備している。プロセッサ２３０３は、シングルチップまたはマルチチップの汎用マイクロプロセッサ（例えば、ＡＲＭ）、専用マイクロプロセッサ（例えば、デジタル信号プロセッサ（ＤＳＰ））、マイクロコントローラ、プログラム可能なゲートアレイ、その他で構わない。プロセッサ２３０３は中央処理装置（ＣＰＵ）と呼ばれることもある。図２３の無線ネットワークコントローラ（ＲＮＣ）２３７５には一台のプロセッサ２３０３だけしか示されていないが、プロセッサの組合せ（例えば、ＡＲＭとＤＳＰ）を用いた構成にしても構わない。
【０１３６】
無線ネットワークコントローラ（ＲＮＣ）２３７５はメモリ２３０５も備えている。メモリ２３０５は、電子情報を格納することのできる電子コンポーネントである。メモリ２３０５は、ランダムアクセス記憶装置（ＲＡＭ）、読取り専用記憶装置（ＲＯＭ）、磁気ディスク記憶媒体、光学式記憶媒体、ＲＡＭのフラッシュメモリ装置、プロセッサと一緒に基板に実装されている記憶装置、ＥＰＲＯＭ記憶装置、ＥＥＰＲＯＭ記憶装置、レジスタ、その他およびこれらの組み合わせで具体化することができる。
【０１３７】
データ２３０７ａおよび命令２３０９ａはメモリ２３０５に格納しても構わない。命令２３０９ａがプロセッサ２３０３により実行されて、ここに記載した方法が実現される。命令２３０９ａの実行は、メモリ２３０５に格納されているデータ２３０７ａの使用を伴う。プロセッサ２３０３が命令２３０９ａを実行する際には、命令２３０９ｂの様々な部分がプロセッサ２３０３にロードされ、データ２３０７ｂの様々な部分がプロセッサ２３０３にロードされる。
【０１３８】
無線ネットワークコントローラ（ＲＮＣ）２３７５は、送信機２３１１および受信機２３１３も備えていて、無線ネットワークコントローラ（ＲＮＣ）２３７５が信号の送受信を行えるようになっている。送信機２３１１および受信機２３１３は一括してトランシーバ２３１５と呼ばれることがある。複数本のアンテナ２３１７ａ−ｂはトランシーバ２３１５に電気的に繋がれている。無線ネットワークコントローラ（ＲＮＣ）２３７５は、複数台の送信機、複数台の受信機、複数台のトランシーバ、付加的なアンテナの全てまたはいずれかを（図示していないが）有していることがある。
【０１３９】
無線ネットワークコントローラ（ＲＮＣ）２３７５はデジタル信号プロセッサ（ＤＳＰ）２３２１を具備している。無線ネットワークコントローラ（ＲＮＣ）２３７５は通信インターフェース２３２３も備えている。通信インターフェース２３２３によりユーザは無線ネットワークコントローラ（ＲＮＣ）２３７５との相互作用が可能になる。
【０１４０】
無線ネットワークコントローラ（ＲＮＣ）２３７５の様々なコンポーネントが一本以上のバスで互いに連結されている。バスには、電力バス、制御信号バス、状態信号バス、データバス、その他が含まれる。明瞭にするために様々なバスがバスシステム２３１９として図２３に示されている。
【０１４１】
ここに記載した様々な技術は、直交多重化方式に基づく通信システムを含む様々な通信システムにいずれも使用することができる。そのような通信システムの例には、直交周波数分割多元接続（ＯＦＤＭＡ）システム、単一搬送波周波数分割多元接続（ＳＣ−ＦＤＭＡ）システム、その他が含まれる。ＯＦＤＭＡシステムでは、全システム帯域幅を複数の直交サブキャリアに分割する変調技術である直交周波数多重（ＯＦＤＭ）が用いられる。サブキャリアは、トーン（tones）、ビン（bins）、その他と呼ばれることもある。ＯＦＤＭシステムでは、個々のサブキャリアはデータで別々に変調される。ＳＣ−ＦＤＭＡシステムでは、システム帯域幅全体に亘って分散されているサブキャリアにインターリーブ周波数分割多元接続（ＩＦＤＭＡ）を用いて載せるか、隣接しているサブキャリアから成る一つのブロックに局在化ＦＤＭＡ（ＬＦＤＭＡ）を用いて載せるか、隣接しているサブキャリアから成る複数のブロックに拡張ＦＤＭＡ（ＥＦＤＭＡ）を用いて載せるかして伝送する。一般に、変調シンボルの送信はＯＦＤＭでは周波数領域で行われ、ＳＣ−ＦＤＭＡでは時間領域で行われる。
【０１４２】
用語「決定すること（determining）」には多種多様な働きが含まれるので、「決定すること（determining）」には複雑な計算をすることや与えられた数字や式を用いて正確な計算の結果を出すことや処理することや導き出すことや検査することや検索すること（例えば、表、データベース、その他のデータ構造を検索すること）や確認すること、その他が含まれる。また、「決定すること（determining）」には受信すること（例えば、情報を受信すること）やアクセスすること（例えば、メモリ内のデータにアクセスすること）、その他が含まれる。また、「決定すること（determining）」には解決すること、広範囲の中から選択すること、与えられた二つ以上の中から選択すること、確立すること、その他が含まれる。
【０１４３】
表現「に基づく（based on）」は、明示的に指定されている場合を除いて「のみに基づく（based only on）」を意味しない。言い換えれば、表現「に基づく（based on）」は「のみに基づく（based only on）」と「少なくとも…に基づく（based at least on）」の両者を意味する。
【０１４４】
用語「プロセッサ（processor）」は、汎用プロセッサ、中央処理装置（ＣＰＵ）、マイクロプロセッサ、デジタル信号プロセッサ（ＤＳＰ）、コントローラ、マイクロコントローラ、状態機械、その他を含むものとして広く解釈されなければならない。場合によっては「プロセッサ（processor）」は、特定用途向け集積回路（ＡＳＩＣ）、プログラム可能論理デバイス（ＰＬＤ）、書替え可能ゲートアレイ（ＦＰＧＡ）、その他を言うこともある。用語「プロセッサ（processor）」は処理装置の組合せ、例えば、ＤＳＰとマイクロプロセッサとの組み合わせ、複数台のマイクロプロセッサ、ＤＳＰコアに接続された一台以上のマイクロプロセッサ、その他の類似した構成を指すこともある。
【０１４５】
用語「メモリ（memory）」は、電子情報を格納することのできる任意の電子コンポーネントを含むものとしてこれを広く解釈しなければならない。用語メモリは、ランダムアクセス記憶装置（ＲＡＭ）、読取り専用記憶装置（ＲＯＭ）、不揮発性ランダムアクセス記憶装置（ＮＶＲＡＭ）、プログラム可能読取り専用記憶装置（ＰＲＯＭ）、消去可能なプログラム可能読取り専用記憶装置（ＥＰＲＯＭ）、フラッシュメモリ、磁気式または光学式のデータ記憶装置、レジスタ、その他のような種々様々な種類のプロセッサ可読媒体を言う。プロセッサがメモリから情報を読み取ったり、メモリに情報を書き込んだりすることができる場合には、メモリはプロセッサと電子的に通信をしていると言われる。メモリは、プロセッサには必須不可欠であり、プロセッサと電子的に通信をしている。
【０１４６】
用語「命令（instructions）」および「コード（code）」は、コンピュータが読み取ることのできる任意の種類のステートメントを含むものとして両者を広く解釈しなければならない。例えば、用語「命令（instructions）」および「コード（code）」は一種類以上のプログラム、ルーチン、サブルーチン、機能、手順、その他を言うことがある。「命令（instructions）」および「コード（code）」はコンピュータが読み取ることのできる単一のステートメントの場合もあればコンピュータが読み取ることのできる多くのステートメントの場合もある。
【０１４７】
ここに記載した諸機能は、ハードウェアが実行するソフトウェアやファームウェアとして実現することができる。どの機能も一種類以上の命令としてコンピュータ可読媒体上に収録することができる。用語「コンピュータ可読媒体」や「コンピュータプログラム製品」は、コンピュータやプロセッサがアクセスすることのできる任意の有形記憶媒体を言う。限定ではなく例としてコンピュータ可読媒体には、ＲＡＭ、ＲＯＭ、ＥＥＰＲＯＭ、ＣＤ−ＲＯＭなどの光学ディスク記憶装置、磁気ディスク記憶装置などの磁気記憶装置が含まれる他に、所望のプログラムコードを命令やデータ構造の形式で保持したり格納したりするために使用することができると共に汎用または専用のコンピュータや汎用または専用のプロセッサがアクセスすることができる前記以外の任意の媒体が含まれる。ここで使用しているディスクには綴りが「disk」と「disc」の二種類があるが、コンパクトディスク（ＣＤ：compact disc）、レーザディスク（laser disc）、光学ディスク（optical disc）、デジタル多用途ディスク（ＤＶＤ：digital versatile disc）、フロッピー（登録商標）ディスク（floppy（登録商標） disk）、ブルーレイ（登録商標）ディスク（Blu-ray（登録商標） disc）が含まれる。ここで、「disk」と綴られるディスクは通常はデータを磁気的に再生し、「disc」と綴られるディスクは通常はデータをレーザで光学的に再生する。
【０１４８】
ここに開示されている方法は、記載した方法を達成するための一種類以上の工程や動作から成っている。方法を構成している諸工程や諸動作の両者または一方は特許請求の範囲から逸脱することなく互いに入れ替えることができる。すなわち、ここに記載されている方法の適切な実施には諸工程や諸動作のどちらについても特定の順序が必要である旨が明示されていない限り特定の諸工程や諸動作の両者または一方の順序および使用の両者または一方は特許請求の範囲から逸脱することなく修正可能である。
【０１４９】
さらに、図３、６、１３、１４、１６、１７、１９に例示されているようなここに記載した種々の方法や技術を実施するためのモジュールその他の適切な手段はダウンロードなどの方法により装置が取得できることを理解されたい。例えば、装置をサーバに結合すれば、ここに記載した種々の方法を実行するための手段の転送が容易になる。あるいは、ここに記載した様々な方法が記憶手段（例えば、ランダムアクセス記憶装置（ＲＡＭ）、読取り専用記憶装置（ＲＯＭ）、コンパクトディスク（ＣＤ）やフロッピーディスクのような物理的な記憶媒体、その他）を介して供給されることがありうる。したがって、記憶手段を装置に結合したり提供したりすれば装置は前記の様々な方法を取得することができる。
【０１５０】
特許請求の範囲は以上に説明した寸分違わぬ構成や構成要素に限定されないことを理解されたい。上に記載した色々な方法や装置の構成や動作や細目に特許請求の範囲を逸脱することなく種々様々な修正や変更や改変を施すことができる。
【０１５１】
以下に本件出願当初の特許請求の範囲に記載された発明を付記する。
［１］マルチユーザマルチ入力マルチ出力パラメータを決定することと、
前記マルチユーザマルチ入力マルチ出力パラメータを含むメッセージを生成することと、
前記メッセージを無線装置に送信することと
を含んでいて、高速パケットアクセスシステムにおいてマルチユーザマルチ入力マルチ出力をシグナリングする方法。
［２］前記方法が無線ネットワークコントローラ（１２７５）により実行され、
前記無線装置が前記メッセージをユーザ機器（１２０４）に転送するノードＢ（１２０２）であり、
前記マルチユーザマルチ入力マルチ出力パラメータは前記ユーザ機器（１２０４）がマルチユーザマルチ入力マルチ出力機能をサポートするために必要なユーザ機器のマルチユーザマルチ入力マルチ出力の設定（１２８３）を含んでいて、
前記メッセージが無線リソース制御メッセージ（１２８２）である［１］の方法。
［３］前記方法がユーザ機器（１２０４）により実行され、
前記無線装置が無線ネットワークコントローラ（１２７５）に前記メッセージを送るノードＢ（１２０２）であり、
前記マルチユーザマルチ入力マルチ出力パラメータが前記ユーザ機器（１２０４）のマルチユーザマルチ入力マルチ出力作動機能を含んでいて、
前記メッセージが無線リソース制御メッセージ（１２７９）である［１］の方法。
［４］前記方法がユーザ機器（１２０４）により実行され、
前記無線装置が無線ネットワークコントローラ（１２７５）に前記メッセージを送るノードＢ（１２０２）であり、
前記マルチユーザマルチ入力マルチ出力パラメータがマルチユーザマルチ入力マルチ出力の可能なユーザ機器のカテゴリ（１２８１）を含んでいる［１］の方法。
［５］前記方法が無線ネットワークコントローラ（１２７５）により実行され、
前記無線装置がノードＢ（１２０２）であり、
前記マルチユーザマルチ入力マルチ出力パラメータは前記ノードＢ（１２０２）によりサービスが提供されているユーザ機器（１２０４）のマルチユーザマルチ入力マルチ出力の機能および設定（１５８７）を含んでいる［１］の方法。
［６］前記マルチユーザマルチ入力マルチ出力パラメータが新しい高速共用制御チャネルフィールドの符号化（１５８８ａ）を含んでいる［５］の方法。
［７］前記方法がノードＢ（１２０２）により実行され、
前記無線装置がユーザ機器（１２０４）であり、
前記マルチユーザマルチ入力マルチ出力パラメータがマルチユーザマルチ入力マルチ出力スケジューリング情報（２０９４）を含んでいて、新しいマルチユーザマルチ入力マルチ出力スケジューリング情報が送信時間間隔（２０９３）毎に送信される［１］の方法。
［８］前記マルチユーザマルチ入力マルチ出力スケジューリング情報（２０９４）が共通高速ダウンリンク共用チャネル−無線ネットワーク一時識別子に基づく高速共用制御チャネルにより送信される［７］の方法。
［９］前記方法がノードＢ（１２０２）により実行され、
前記無線装置がユーザ機器（１２０４）であり、
前記マルチユーザマルチ入力マルチ出力パラメータがマルチユーザマルチ入力マルチ出力機能を前記ユーザ機器（１２０２）に起動させたり停止させたりする命令を含んでいて、前記メッセージが高速共用制御チャネルの命令（１８８９）である［１］の方法。
［１０］コンピュータで実行されると請求項１ないし９のいずれかの前記諸工程を遂行するように適合されているコンピュータプログラムコード手段を含むコンピュータプログラム。
［１１］請求項１ないし９の前記方法を実行する一台以上のプロセッサ（２１０３、２２０３、２３０３）により実行可能な一組の命令を具現化しているコンピュータ可読媒体。
［１２］高速パケットアクセスシステムにおいてマルチユーザマルチ入力マルチ出力をシグナリングするように構成されている無線装置であって、
マルチユーザマルチ入力マルチ出力パラメータを決定する手段と、
前記マルチユーザマルチ入力マルチ出力パラメータを含むメッセージを生成する手段と、
前記メッセージを第二の無線装置に送信する手段と
を含んでいる無線装置。
［１３］前記無線装置が無線ネットワークコントローラ（１２７５）であり、第二の無線装置がユーザ機器（１２０４）に前記メッセージを送るノードＢ（１２０２）であり、前記マルチユーザマルチ入力マルチ出力パラメータは前記ユーザ機器（１２０４）がマルチユーザマルチ入力マルチ出力機能をサポートするために必要なユーザ機器のマルチユーザマルチ入力マルチ出力の設定（１２８３）を含んでいて、前記メッセージが無線リソース制御メッセージ（１２８２）である［１２］の方法。
［１４］前記無線装置がユーザ機器（１２０４）であり、前記第二の無線装置が無線ネットワークコントローラ（１２７５）に前記メッセージを送るノードＢ（１２０２）であり、前記マルチユーザマルチ入力マルチ出力パラメータが前記ユーザ機器（１２０４）のマルチユーザマルチ入力マルチ出力作動機能を含んでいて、前記メッセージが無線リソース制御メッセージ（１２７９）である［１２］の方法。
［１５］前記無線装置がユーザ機器（１２０４）であり、前記第二の無線装置が無線ネットワークコントローラ（１２７５）に前記メッセージを送るノードＢ（１２０２）であり、前記マルチユーザマルチ入力マルチ出力パラメータがマルチユーザマルチ入力マルチ出力の可能なユーザ機器のカテゴリ（１２８１）を含んでいる請求項１２の方法。
以下に示す範囲を権利として請求する。
【図１】
0005635120.tif 000007
【図２】
0005635120.tif 000008
【図３】
0005635120.tif 000009
【図４】
0005635120.tif 000010
【図５】
0005635120.tif 000011
【図６】
0005635120.tif 000012
【図７】
0005635120.tif 000013
【図８】
0005635120.tif 000014
【図９】
0005635120.tif 000015
【図１０】
0005635120.tif 000016
【図１１】
0005635120.tif 000017
【図１２】
0005635120.tif 000018
【図１３】
0005635120.tif 000019
【図１４】
0005635120.tif 000020
【図１５】
0005635120.tif 000021
【図１６】
0005635120.tif 000022
【図１７】
0005635120.tif 000023
【図１８】
0005635120.tif 000024
【図１９】
0005635120.tif 000025
【図２０】
0005635120.tif 000026
【図２１】
0005635120.tif 000027
【図２２】
0005635120.tif 000028
【図２３】
0005635120.tif 000029